(57)【特許請求の範囲】
【請求項１】
データ伝送方法であって、
無線アクセスネットワークデバイスが、第１トランスポートブロックを端末デバイスへ送信する段階であって、前記第１トランスポートブロックは少なくとも２つのコードブロックを含み、前記少なくとも２つのコードブロックは、少なくとも２つの異なるコードブロックグループに分割され、各コードブロックグループは、前記少なくとも２つのコードブロックのうち少なくとも１つを含む、段階と、
前記無線アクセスネットワークデバイスが、前記端末デバイスからの第１フィードバック情報を受信する段階であって、前記第１フィードバック情報は、前記第１トランスポートブロックに対応する少なくとも２つのフィードバック情報を含み、前記少なくとも２つのフィードバック情報は、前記少なくとも２つのコードブロックグループの受信ステータスを示すためにそれぞれ使用される、段階と
を備え、
前記少なくとも２つのコードブロックグループの各々が復号チェックに合格したが前記第１トランスポートブロックが復号チェックに不合格となったと前記端末デバイスが判定した場合、前記第１フィードバック情報における前記少なくとも２つのフィードバック情報の各々は、否定応答情報の前記受信ステータスを示す、
方法。
【請求項２】
前記無線アクセスネットワークデバイスが、再伝送コードブロックを前記端末デバイスへ送信する段階であって、前記再伝送コードブロックは、前記第１フィードバック情報における否定応答情報に対応するコードブロックグループに含まれるコードブロックの一部または全部を含む、段階と、
前記無線アクセスネットワークデバイスが、前記端末デバイスからの第２フィードバック情報を受信する段階であって、前記第２フィードバック情報は、前記再伝送コードブロックに対応する、受信ステータスを示すために使用されるフィードバック情報を含む、段階と
を更に備える、請求項１に記載の方法。
【請求項３】
前記少なくとも２つのコードブロックグループの各々が復号チェックに合格したが、前記第１トランスポートブロックが復号チェックに不合格となったと前記端末デバイスが判定した場合、前記第２フィードバック情報における前記少なくとも２つのフィードバック情報の各々は、否定応答情報の前記受信ステータスを示す、請求項２に記載の方法。
【請求項４】
前記第２フィードバック情報のコードブックのサイズは、前記第１フィードバック情報のコードブックのサイズに等しく、前記コードブックの前記サイズは、前記第１トランスポートブロックにおける前記コードブロックグループの数に等しい、請求項３に記載の方法。
【請求項５】
前記無線アクセスネットワークデバイスが、再伝送インジケーション情報を前記端末デバイスへ送信する段階であって、前記再伝送インジケーション情報は、前記再伝送コードブロックを判定するために使用される、段階
を更に備える、請求項２に記載の方法。
【請求項６】
前記第１トランスポートブロックにおける前記少なくとも２つのコードブロックは、前記コードブロックの論理シーケンス番号に基づいて、または、前記コードブロックによって占有される時間周波数リソースに基づいて、少なくとも２つの異なるコードブロックグループに分割される、請求項１から５のいずれか一項に記載の方法。
【請求項７】
前記少なくとも２つのコードブロックは、第１時間周波数リソースを占有し、前記第１時間周波数リソースは、少なくとも２つのリソース領域を含み、前記少なくとも２つのリソース領域は、前記少なくとも２つのコードブロックグループに対応し、各コードブロックグループに含まれる前記コードブロックは、前記コードブロックの前記コードブロックグループに対応するリソース領域を占有し、前記分割の方式は、以下の複数の分割方式、すなわち、
前記少なくとも２つのリソース領域が異なる時間領域に位置すること、
前記少なくとも２つのリソース領域が異なる周波数領域に位置すること、
前記少なくとも２つのリソース領域によって占有される時間領域および／または周波数領域リソースは、完全に同一ではないこと、ならびに、
前記少なくとも２つのリソース領域は、少なくとも１つの第１タイプの領域、および、少なくとも１つの第２タイプの領域を含み、前記第１タイプの領域は、特定のコードブロックグループに対応し、前記第２タイプの領域は、前記特定のコードブロックグループに対応せず、前記特定のコードブロックグループは前記少なくとも２つのコードブロックグループに属すること、または、
前記少なくとも２つのリソース領域は、少なくとも１つの第１タイプの領域、および、少なくとも１つの第２タイプの領域を含み、前記第１タイプの領域は、第１タイプのサービスの伝送をサポートし、前記第２タイプの領域は、前記第１タイプのサービスの前記伝送をサポートしないこと
のうちの１つを含む、
請求項６に記載の方法。
【請求項８】
前記少なくとも２つのリソース領域が異なる時間領域に位置するとき、より早い時間におけるリソース領域によって占有される時間領域リソースの数は、より遅い時間におけるリソース領域によって占有される時間領域リソースの数より多い、請求項７に記載の方法。
【請求項９】
前記少なくとも２つのコードブロックグループは、第１タイプのコードブロックグループ、および、第２タイプのコードブロックグループを含み、前記第１タイプのコードブロックグループおよび前記第２タイプのコードブロックグループは、少なくとも１つの同一のコードブロックを含む、請求項１から８のいずれか一項に記載の方法。
【請求項１０】
前記方法は更に、
前記無線アクセスネットワークデバイスが、前記第１トランスポートブロックをスケジューリングするために使用される第１スケジューリング情報を前記端末デバイスへ送信する段階であって、前記第１スケジューリング情報は分割インジケーションを含み、前記分割インジケーションは、前記第１トランスポートブロックの分割方式を示すために使用される、段階、または、
前記無線アクセスネットワークデバイスが、上位層シグナリングを前記端末デバイスへ送信する段階であって、前記上位層シグナリングは分割インジケーションを含み、前記分割インジケーションは、前記第１トランスポートブロックの分割方式を示すために使用される、段階
を備える、請求項１から６のいずれか一項に記載の方法。
【請求項１１】
前記方法は更に、
前記無線アクセスネットワークデバイスが、再伝送コードブロックをスケジューリングするために使用される第２スケジューリング情報を前記端末デバイスへ送信する段階であって、前記第２スケジューリング情報は再伝送インジケーション情報を含む、段階
を備える、請求項１０に記載の方法。
【請求項１２】
前記第１スケジューリング情報および前記第２スケジューリング情報は、同一のダウンリンク制御情報フォーマットの制御チャネル上で搬送され、前記分割インジケーションによって使用される、前記ダウンリンク制御情報フォーマットにおける第１フィールドと、前記再伝送インジケーション情報によって使用される、前記ダウンリンク制御情報フォーマットにおける第２フィールドとは、同一のフィールドを含む、請求項１１に記載の方法。
【請求項１３】
再伝送インジケーション情報は更に、再伝送コードブロックにおけるコードブロックの全部または一部に対してＨＡＲＱの組み合わせを実行できるかどうかを示すために使用される、請求項２から１２のいずれか一項に記載の方法。
【請求項１４】
データ伝送方法であって、
端末デバイスが、無線アクセスネットワークデバイスからの第１トランスポートブロックを受信する段階であって、前記第１トランスポートブロックは、少なくとも２つのコードブロックを含み、前記少なくとも２つのコードブロックは、少なくとも２つの異なるコードブロックグループに分割され、各コードブロックグループは、前記少なくとも２つのコードブロックのうち少なくとも１つを含む、段階と、
前記端末デバイスが、第１フィードバック情報を前記無線アクセスネットワークデバイスへ送信する段階であって、前記第１フィードバック情報は、前記第１トランスポートブロックに対応する少なくとも２つのフィードバック情報を含み、前記少なくとも２つのフィードバック情報は、前記少なくとも２つのコードブロックグループの受信ステータスを示すためにそれぞれ使用される、段階と
を備え、
前記少なくとも２つのコードブロックグループの各々が復号チェックに合格したが、前記第１トランスポートブロックが復号チェックに不合格となったと前記端末デバイスが判定した場合、前記第１フィードバック情報における前記少なくとも２つのフィードバック情報の各々は、否定応答情報の前記受信ステータスを示す、
方法。
【請求項１５】
前記端末デバイスが、前記無線アクセスネットワークデバイスからの再伝送コードブロックを受信する段階であって、前記再伝送コードブロックは、前記第１フィードバック情報における否定応答情報に対応するコードブロックグループに含まれるコードブロックの一部または全部を含む、段階と、
前記端末デバイスが、第２フィードバック情報を前記無線アクセスネットワークデバイスへ送信する段階であって、前記第２フィードバック情報は、前記再伝送コードブロックに対応する、受信ステータスを示すために使用されるフィードバック情報を含む、段階と
を更に備える、請求項１４に記載の方法。
【請求項１６】
前記少なくとも２つのコードブロックグループの各々が復号チェックに合格したが、前記第１トランスポートブロックが復号チェックに不合格となったと前記端末デバイスが判定した場合、前記第２フィードバック情報における前記少なくとも２つのフィードバック情報の各々は、否定応答情報の前記受信ステータスを示す、請求項１５に記載の方法。
【請求項１７】
前記第２フィードバック情報のコードブックのサイズは、前記第１フィードバック情報のコードブックのサイズに等しく、前記コードブックの前記サイズは、前記第１トランスポートブロックにおける前記コードブロックグループの数に等しい、請求項１６に記載の方法。
【請求項１８】
前記端末デバイスが、前記無線アクセスネットワークデバイスからの再伝送インジケーション情報を受信する段階であって、前記再伝送インジケーション情報は、前記再伝送コードブロックを判定するために使用される、段階と、
前記端末デバイスが、前記再伝送インジケーション情報に基づいて、前記再伝送コードブロックを受信する段階と
を更に備える、請求項１５に記載の方法。
【請求項１９】
前記第１トランスポートブロックにおける前記少なくとも２つのコードブロックは、前記コードブロックの論理シーケンス番号に基づいて、または、前記コードブロックによって占有される時間周波数リソースに基づいて、少なくとも２つの異なるコードブロックグループに分割される、請求項１４から１８のいずれか一項に記載の方法。
【請求項２０】
前記少なくとも２つのコードブロックは、第１時間周波数リソースを占有し、前記第１時間周波数リソースは、少なくとも２つのリソース領域を含み、前記少なくとも２つのリソース領域は、前記少なくとも２つのコードブロックグループに対応し、各コードブロックグループに含まれる前記コードブロックは、前記コードブロックの前記コードブロックグループに対応するリソース領域を占有し、前記分割の方式は、以下の複数の分割方式、すなわち、
前記少なくとも２つのリソース領域が異なる時間領域に位置すること、
前記少なくとも２つのリソース領域が異なる周波数領域に位置すること、
前記少なくとも２つのリソース領域によって占有される時間領域および／または周波数領域リソースは、完全に同一ではないこと、ならびに、
前記少なくとも２つのリソース領域は、少なくとも１つの第１タイプの領域、および、少なくとも１つの第２タイプの領域を含み、前記第１タイプの領域は、特定のコードブロックグループに対応し、前記第２タイプの領域は、前記特定のコードブロックグループに対応せず、前記特定のコードブロックグループは前記少なくとも２つのコードブロックグループに属すること、または、
前記少なくとも２つのリソース領域は、少なくとも１つの第１タイプの領域、および、少なくとも１つの第２タイプの領域を含み、前記第１タイプの領域は、第１タイプのサービスの伝送をサポートし、前記第２タイプの領域は、前記第１タイプのサービスの前記伝送をサポートしないこと
のうちの１つを含む、
請求項１９に記載の方法。
【請求項２１】
前記少なくとも２つのリソース領域が異なる時間領域に位置するとき、より早い時間におけるリソース領域によって占有される時間領域リソースの数は、より遅い時間におけるリソース領域によって占有される時間領域リソースの数より多い、請求項２０に記載の方法。
【請求項２２】
前記少なくとも２つのコードブロックグループは、第１タイプのコードブロックグループ、および、第２タイプのコードブロックグループを含み、前記第１タイプのコードブロックグループおよび前記第２タイプのコードブロックグループは、少なくとも１つの同一のコードブロックを含む、請求項１４から２１のいずれか一項に記載の方法。
【請求項２３】
前記方法は更に、
前記端末デバイスが、前記第１トランスポートブロックをスケジューリングするために使用される、前記無線アクセスネットワークデバイスからの第１スケジューリング情報を受信する段階であって、前記第１スケジューリング情報は、分割インジケーションを含み、前記分割インジケーションは、前記第１トランスポートブロックの分割方式を示すために使用される、段階、または、
前記端末デバイスが、前記無線アクセスネットワークデバイスからの上位層シグナリングを受信する段階であって、前記上位層シグナリングは分割インジケーションを含み、前記分割インジケーションは、前記第１トランスポートブロックの分割方式を示すために使用される、段階
を備える、請求項１４から２２のいずれか一項に記載の方法。
【請求項２４】
前記端末デバイスが、再伝送コードブロックをスケジューリングするために使用される、前記無線アクセスネットワークデバイスからの第２スケジューリング情報を受信する段階であって、前記第２スケジューリング情報は、再伝送インジケーション情報を含む、段階
を更に備える、請求項２３に記載の方法。
【請求項２５】
前記第１スケジューリング情報および第２スケジューリング情報は、同一のダウンリンク制御情報フォーマットの制御チャネル上で搬送され、前記分割インジケーションによって使用される、前記ダウンリンク制御情報フォーマットにおける第１フィールドと、再伝送インジケーション情報によって使用される、前記ダウンリンク制御情報フォーマットにおける第２フィールドとは、同一のフィールドを含む、請求項２３に記載の方法。
【請求項２６】
再伝送インジケーション情報は更に、再伝送コードブロックにおけるコードブロックの全部または一部に対してＨＡＲＱの組み合わせを実行できるかどうかを示すために使用される、請求項１４から２５のいずれか一項に記載の方法。
【請求項２７】
データ伝送デバイスであって、
プロセッサと、プログラム命令を記憶するメモリユニットとを備え、
前記プログラム命令は、前記プロセッサによって実行されるとき、前記データ伝送デバイスが、請求項１から１３のいずれか一項に記載の方法を実行することを可能にする、
データ伝送デバイス。
【請求項２８】
前記データ伝送デバイスは無線アクセスネットワークデバイスである、請求項２７に記載のデータ伝送デバイス。
【請求項２９】
データ伝送デバイスであって、
プロセッサと、プログラム命令を記憶するメモリユニットとを備え、
前記プログラム命令は、前記プロセッサによって実行されるとき、前記データ伝送デバイスが、請求項１４から２６のいずれか一項に記載の方法を実行することを可能にする、
データ伝送デバイス。
【請求項３０】
前記データ伝送デバイスは端末デバイスである、請求項２９に記載のデータ伝送デバイス。
【請求項３１】
プログラムであって、前記プログラムがコンピュータ上で実行されるとき、前記コンピュータが、請求項１から２６のいずれか一項に記載の方法を実行する、プログラム。
【発明の詳細な説明】
【技術分野】
【０００１】
本願は、２０１７年１月７日に中国国家知識産権局に出願された、「データ伝送方法および機器」と題する中国特許出願第２０１７１００１４６１９．１号に対する優先権を主張する、２０１７年３月２１日に中国国家知識産権局に出願された、「データ伝送方法および機器」と題する中国特許出願第２０１７１０１７００３３．４号に対する優先権を主張するものである。上述の特許出願はすべて、参照によって全体が本明細書に組み込まれる。
【０００２】
本発明は、モバイル通信の分野に関連し、特に、データ伝送方法および機器に関連する。
【背景技術】
【０００３】
ＬＴＥ（Ｌｏｎｇ  Ｔｅｒｍ  Ｅｖｏｌｕｔｉｏｎ、ロングタームエボリューション）システムにおいて、ダウンリンクおよびアップリンクはそれぞれ、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数分割多元接続）およびＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、シングルキャリア周波数分割多元接続）に基づく。時間周波数リソースは、時間領域におけるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボルまたはＳＣ−ＦＤＭＡシンボル（ＯＦＤＭシンボルまたはＳＣ−ＦＤＭＡシンボルは代替的に、時間領域シンボルと称される）と、周波数領域におけるサブキャリアとに分割される。時間周波数リソースが分割される最小リソース粒度は、ＲＥ（Ｒｅｓｏｕｒｃｅ  Ｅｌｅｍｅｎｔ、リソース要素）と称され、すなわち、時間領域における１つの時間領域シンボルと、周波数領域における１つのサブキャリアとを含む時間周波数格子点である。ＬＴＥシステムにおける典型的な時間周波数リソースの基本構造は、１５ｋＨｚのサブキャリア間隔、約７０μｓの時間領域シンボル時間長、および、４μｓ〜６μｓの巡回プレフィックス時間長である。
【０００４】
ＬＴＥシステムにおいて、サービス伝送は、基地局のスケジューリングに基づく。上位層データパケットが物理層においてスケジューリングされるとき、上位層データパケットは、トランスポートブロック（Ｔｒａｎｓｐｏｒｔ  Ｂｌｏｃｋ、ＴＢ）の形態で、小さいデータパケットに分割される。スケジューリングの基本時間単位は一般に、１つのサブフレームである。１つのサブフレームの時間長は、１ｍｓであり、１つのサブフレームは一般に、２つのスロットを含み、１つのスロットは一般に、７つの時間領域シンボルを含む。ＬＴＥ拡張型システムにおいて、より短いスケジューリング時間単位が更に導入され得る。例えば、１つのスロットまたは更にはいくつかの時間領域シンボルが単位として使用されるスケジューリング方式が導入され得る。一般に、具体的なスケジューリングプロセスは、以下の段階、すなわち、基地局が、制御チャネル、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）を伝送する段階と、ＵＥが、サブフレームにおいて制御チャネルを検出し、検出された制御チャネル上で搬送されたスケジューリング情報に基づいて、ダウンリンクデータチャネル上でトランスポートブロックを受信する、または、アップリンクデータチャネル上でトランスポートブロックを送信する段階とを含む。制御チャネルは、ダウンリンクデータチャネル（例えば、物理ダウンリンク共有チャネル、Ｐｈｙｓｉｃａｌ  Ｄｏｗｎｌｉｎｋ  Ｓｈａｒｅｄ  Ｃｈａｎｎｅｌ、ＰＤＳＣＨ）、または、アップリンクデータチャネル（例えば、物理アップリンク共有チャネル、Ｐｈｙｓｉｃａｌ  Ｕｐｌｉｎｋ  Ｓｈａｒｅｄ  Ｃｈａｎｎｅｌ、ＰＵＳＣＨ）のスケジューリング情報を搬送し得る。スケジューリング情報は、リソース割り当て情報、変調および符号化方式、ならびに、ＨＡＲＱなどの制御情報を含む。
【０００５】
ＬＴＥシステムは、２つの複信モード、すなわち、ＦＤＤ（Ｆｒｅｑｕｅｎｃｙ  Ｄｉｖｉｓｉｏｎ  Ｄｕｐｌｅｘ、周波数分割複信）およびＴＤＤ（Ｔｉｍｅ  Ｄｉｖｉｓｉｏｎ  Ｄｕｐｌｅｘ、時間分割複信）をサポートする。ＦＤＤシステムについては、ダウンリンク伝送およびアップリンク伝送は、異なるサブキャリア上で実行される。ＴＤＤシステムについては、アップリンク伝送およびダウンリンク伝送は、異なる時間において同一のサブキャリア上で実行される。具体的には、１つのサブキャリアは、ダウンリンクサブフレーム、アップリンクサブフレーム、および、特殊なサブフレームに対応する。特殊なサブフレームは、３つの部分、すなわち、ＤｗＰＴＳ（Ｄｏｗｎｌｉｎｋ  Ｐｉｌｏｔ  Ｔｉｍｅｓｌｏｔ、ダウンリンクパイロットタイムスロット）、ＧＰ（Ｇｕａｒｄ  Ｐｅｒｉｏｄ、ガード期間）、および、ＵｐＰＴＳ（Ｕｐｌｉｎｋ  Ｐｉｌｏｔ  Ｔｉｍｅｓｌｏｔ、アップリンクパイロットタイムスロット）を含む。ＧＰは主に、ダウンリンクからアップリンクへのコンポーネントの転換時間および伝播遅延の補償に使用される。ＬＴＥシステムは現在、７つの異なるＴＤＤアップリンクおよびダウンリンク構成をサポートしており、異なるアップリンクおよびダウンリンク構成については、アップリンクサブフレームの数とダウンリンクサブフレームの数との比は通常異なる。
【０００６】
ＬＴＥにおいて、ＨＡＲＱ機構が使用され、ＬＴＥシステムにおけるＡＣＫまたはＮＡＣＫフィードバックおよびＨＡＲＱ再伝送は、トランスポートブロックに基づいて実行される。ダウンリンクを例として使用すると、ＰＤＳＣＨ上で搬送されるトランスポートブロックを受信後、ＵＥがトランスポートブロックを正確に受信した場合、ＵＥは、アップリンク上でＡＣＫをフィードバックする、または、ＵＥがトランスポートブロックを不正確に受信した場合、ＵＥは、アップリンク上でＮＡＣＫをフィードバックする。基地局が、ＵＥによってフィードバックされたＮＡＣＫを受信した場合、基地局は次に、以前のＰＤＳＣＨ伝送において搬送されたトランスポートブロックをＵＥへ再送信し、ＵＥは、再度受信されたＰＤＳＣＨ上のトランスポートブロックの受信情報、および、以前に不正確に受信されたトランスポートブロックの受信情報に対してＨＡＲＱの組み合わせを実行し得て、それにより、受信性能を改善する。
【０００７】
現在、５Ｇ（Ｆｉｆｔｈ  Ｇｅｎｅｒａｔｉｏｎ、第５世代）技術についての議論が開始されている。５Ｇは、互換性の観点から、２つの系統に分かれ得る。一方の系統は、ＬＴＥ４Ｇ（Ｆｏｕｒｔｈ  Ｇｅｎｅｒａｔｉｏｎ、第４世代）と互換性のある連続的な進化であり、他方の系統は、ＬＴＥと互換性が無い新無線ＮＲである。２つの系統については、５Ｇは、２つの重要な技術的要件、すなわち、モバイルブロードバンドの連続的に強化されたｅＭＢＢ（Ｅｎｈａｎｃｅｄ  Ｍｏｂｉｌｅ  ＢｒｏａｄＢａｎｄ、エンハンスドモバイルブロードバンド）および超高信頼性低遅延通信ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ、超高信頼性低遅延通信）を含む。ｅＭＢＢについては、５Ｇは、４Ｇより高いデータレートに到達する必要がある。したがって、より大きいトランスポートブロックが導入され得る。より高い程度の並行性を有するＬＤＰＣ（Ｌｏｗ−Ｄｅｎｓｉｔｙ  Ｐａｒｉｔｙ−Ｃｈｅｃｋ  Ｃｏｄｅ、低密度パリティ検査符号）が導入され得ることを考慮して、５Ｇにおける１つのＴＢは、４Ｇと比較して、より多くのＣＢ（Ｃｏｄｅ  Ｂｌｏｃｋ、コードブロック）に分割される。ＵＲＬＬＣについては、そのレイテンシおよび信頼性の要件を満たすために、ＵＲＬＬＣのバースト伝送の優先度は、ｅＭＢＢより高い必要がある。したがって、ＵＲＬＬＣでは、伝送されているｅＭＢＢトランスポートブロックに対して短時間のパンクチャリングが実行され得て、その結果、ｅＭＢＢ  ＴＢにおける少数のＣＢは、ＵＲＬＬＣのパンクチャリングに起因して、ｅＭＢＢ  ＵＥによって正確に受信されることができない。
【０００８】
したがって、５Ｇシステム設計において、１つのＴＢは、より多くのＣＢに分割され得て、バーストＵＲＬＬＣ緊急サービスでは、伝送されているｅＭＢＢサービスに対してパンクチャリングが実行され得る。従来のＴＢベースのＨＡＲＱフィードバックおよび再伝送機構においては、データ伝送効率が低下し、システム伝送効率が影響を受ける。
【発明の概要】
【０００９】
本願は、より効率的なデータ伝送処理方法を提供するべく、データ伝送方法および機器を開示する。
【００１０】
一態様によれば、本発明の実施形態は、データ伝送方法を提供し、当該データ伝送方法は、無線アクセスネットワークデバイスが、第１トランスポートブロックを端末デバイスへ送信する段階であって、第１トランスポートブロックは少なくとも２つのコードブロックを含み、少なくとも２つのコードブロックは、分割方式に基づいて少なくとも２つの異なるコードブロックセットに分割され、各コードブロックセットは、少なくとも２つのコードブロックのうち少なくとも１つを含む、段階と、無線アクセスネットワークデバイスが、端末デバイスによって送信された第１フィードバック情報を受信する段階であって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、段階とを備える。
【００１１】
任意選択的に、当該方法は、無線アクセスネットワークデバイスが、再伝送コードブロックを端末デバイスへ送信する段階であって、再伝送コードブロックは、第１フィードバック情報における否定応答情報に対応するコードブロックセットに含まれるコードブロックの一部または全部を含む、段階と、無線アクセスネットワークデバイスが、端末デバイスによって送信された第２フィードバック情報を受信する段階であって、第２フィードバック情報は、再伝送コードブロックに対応する、受信ステータスを示すために使用されるフィードバック情報を含む、段階とを更に備える。
【００１２】
任意選択的に、当該方法は、無線アクセスネットワークデバイスが、再伝送インジケーション情報を端末デバイスへ送信する段階であって、再伝送インジケーション情報は、再伝送コードブロックを判定するために使用される、段階を更に備える。
【００１３】
任意選択的に、少なくとも２つのコードブロックは、第１時間周波数リソースを占有し、第１時間周波数リソースは、少なくとも２つのリソース領域を含み、少なくとも２つのリソース領域は、少なくとも２つのコードブロックセットに対応し、各コードブロックセットに含まれるコードブロックは、コードブロックのコードブロックセットに対応するリソース領域を占有し、分割方式は、以下の複数の分割方式、すなわち、少なくとも２つのリソース領域が異なる時間領域に位置すること、少なくとも２つのリソース領域が異なる周波数領域に位置すること、少なくとも２つのリソース領域によって占有される時間領域および／または周波数領域リソースは、完全に同一ではないこと、ならびに、少なくとも２つのリソース領域は、少なくとも１つの第１タイプの領域、および、少なくとも１つの第２タイプの領域を含み、第１タイプの領域は、特定のコードブロックセットに対応し、第２タイプの領域は、特定のコードブロックセットに対応せず、特定のコードブロックセットは少なくとも２つのコードブロックセットに属すること、または、少なくとも２つのリソース領域は、少なくとも１つの第１タイプの領域、および、少なくとも１つの第２タイプの領域を含み、第１タイプの領域は、第１タイプのサービスの伝送をサポートし、第２タイプの領域は、第１タイプのサービスの伝送をサポートしないことのうちの１つである。
【００１４】
任意選択的に、少なくとも２つのリソース領域が異なる時間領域に位置するとき、より早い時間におけるリソース領域によって占有される時間領域リソースの数は、より遅い時間におけるリソース領域によって占有される時間領域リソースの数より多い。
【００１５】
任意選択的に、少なくとも２つのコードブロックセットは、第１タイプのコードブロックセット、および、第２タイプのコードブロックセットを含み、第１タイプのコードブロックセットおよび第２タイプのコードブロックセットは、少なくとも１つの同一のコードブロックを含む。
【００１６】
任意選択的に、無線アクセスネットワークデバイスが複数の分割方式をサポートするとき、方法は更に、無線アクセスネットワークデバイスが、第１トランスポートブロックをスケジューリングするために使用される第１スケジューリング情報を端末デバイスへ送信する段階であって、第１スケジューリング情報は分割インジケーションを含み、分割インジケーションは、複数の分割方式のうちの１つを示すために使用される、段階、または、無線アクセスネットワークデバイスが、上位層シグナリングを端末デバイスへ送信する段階であって、上位層シグナリングは分割インジケーションを含み、分割インジケーションは、複数の分割方式のうちの１つを示すために使用される、段階を備える。
【００１７】
任意選択的に、方法は更に、無線アクセスネットワークデバイスが、再伝送コードブロックをスケジューリングするために使用される第２スケジューリング情報を端末デバイスへ送信する段階であって、第２スケジューリング情報は再伝送インジケーション情報を含む、段階を備える。
【００１８】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【００１９】
任意選択的に、再伝送インジケーション情報は更に、再伝送コードブロックにおけるコードブロックの全部または一部に対してＨＡＲＱの組み合わせを実行できるかどうかを示すために使用される。
【００２０】
任意選択的に、当該方法は更に、第１フィードバック情報が更に、第１トランスポートブロックの受信ステータスを示すために使用されるフィードバック情報を含むこと、および／または、第２フィードバック情報が更に、第１トランスポートブロックの受信ステータスを示すために使用されるフィードバック情報を含むことを備える。
【００２１】
別の態様によれば、本発明の実施形態は、データ伝送方法を提供し、当該データ伝送方法は、端末デバイスが、無線アクセスネットワークデバイスによって送信された第１トランスポートブロックを受信する段階であって、第１トランスポートブロックは、少なくとも２つのコードブロックを含み、少なくとも２つのコードブロックは、分割方式に基づいて少なくとも２つの異なるコードブロックセットに分割され、各コードブロックセットは、少なくとも２つのコードブロックのうち少なくとも１つを含む、段階と、端末デバイスが、第１フィードバック情報を無線アクセスネットワークデバイスへ送信する段階であって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、段階とを備える。
【００２２】
任意選択的に、当該方法は、端末デバイスが、無線アクセスネットワークデバイスによって送信された再伝送コードブロックを受信する段階であって、再伝送コードブロックは、第１フィードバック情報における否定応答情報に対応するコードブロックセットに含まれるコードブロックの一部または全部を含む、段階と、端末デバイスが、第２フィードバック情報を無線アクセスネットワークデバイスへ送信する段階であって、第２フィードバック情報は、再伝送コードブロックに対応する、受信ステータスを示すために使用されるフィードバック情報を含む、段階とを更に備える。
【００２３】
任意選択的に、当該方法は、端末デバイスが、無線アクセスネットワークデバイスによって送信された再伝送インジケーション情報を受信する段階であって、再伝送インジケーション情報は、再伝送コードブロックを判定するために使用される、段階と、端末デバイスが、分割方式および再伝送インジケーション情報に基づいて、再伝送コードブロックを受信する段階とを更に備える。
【００２４】
任意選択的に、少なくとも２つのコードブロックは、第１時間周波数リソースを占有し、第１時間周波数リソースは、少なくとも２つのリソース領域を含み、少なくとも２つのリソース領域は、少なくとも２つのコードブロックセットに対応し、各コードブロックセットに含まれるコードブロックは、コードブロックのコードブロックセットに対応するリソース領域を占有し、分割方式は、以下の複数の分割方式、すなわち、少なくとも２つのリソース領域が異なる時間領域に位置すること、少なくとも２つのリソース領域が異なる周波数領域に位置すること、少なくとも２つのリソース領域によって占有される時間領域および／または周波数領域リソースは、完全に同一ではないこと、ならびに、少なくとも２つのリソース領域は、少なくとも１つの第１タイプの領域、および、少なくとも１つの第２タイプの領域を含み、第１タイプの領域は、特定のコードブロックセットに対応し、第２タイプの領域は、特定のコードブロックセットに対応せず、特定のコードブロックセットは少なくとも２つのコードブロックセットに属すること、または、少なくとも２つのリソース領域は、少なくとも１つの第１タイプの領域、および、少なくとも１つの第２タイプの領域を含み、第１タイプの領域は、第１タイプのサービスの伝送をサポートし、第２タイプの領域は、第１タイプのサービスの伝送をサポートしないことのうちの１つである。
【００２５】
任意選択的に、少なくとも２つのリソース領域が異なる時間領域に位置するとき、より早い時間におけるリソース領域によって占有される時間領域リソースの数は、より遅い時間におけるリソース領域によって占有される時間領域リソースの数より多い。
【００２６】
任意選択的に、少なくとも２つのコードブロックセットは、第１タイプのコードブロックセット、および、第２タイプのコードブロックセットを含み、第１タイプのコードブロックセットおよび第２タイプのコードブロックセットは、少なくとも１つの同一のコードブロックを含む。
【００２７】
任意選択的に、無線アクセスネットワークデバイスが複数の分割方式をサポートするとき、方法は更に、端末デバイスが、第１トランスポートブロックをスケジューリングするために使用される、無線アクセスネットワークデバイスによって送信された第１スケジューリング情報を受信する段階であって、第１スケジューリング情報は、分割インジケーションを含み、分割インジケーションは、複数の分割方式のうちの１つを示すために使用される、段階、または、端末デバイスが、無線アクセスネットワークデバイスによって送信された上位層シグナリングを受信する段階であって、上位層シグナリングは分割インジケーションを含み、分割インジケーションは、複数の分割方式のうちの１つを示すために使用される、段階を備える。
【００２８】
任意選択的に、当該方法は、端末デバイスが、再伝送コードブロックをスケジューリングするために使用される、無線アクセスネットワークデバイスによって送信された第２スケジューリング情報を受信する段階であって、第２スケジューリング情報は、再伝送インジケーション情報を含む、段階を更に備える。
【００２９】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【００３０】
任意選択的に、再伝送インジケーション情報は更に、再伝送コードブロックにおけるコードブロックの全部または一部に対してＨＡＲＱの組み合わせを実行できるかどうかを示すために使用される。
【００３１】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【００３２】
別の態様によれば、本発明の実施形態は、無線アクセスネットワークデバイスを提供し、当該無線アクセスネットワークデバイスは、第１トランスポートブロックに含まれる少なくとも２つのコードブロックを、分割方式に基づいて少なくとも２つの異なるコードブロックセットに分割するよう構成される処理ユニットであって、各コードブロックセットは、少なくとも２つのコードブロックのうち少なくとも１つを含む、処理ユニットと、第１トランスポートブロックを端末デバイスへ送信するよう構成される送信ユニットと、端末デバイスによって送信された第１フィードバック情報を受信するよう構成される受信ユニットであって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、受信ユニットとを備える。
【００３３】
任意選択的に、送信ユニットは更に、再伝送コードブロックを端末デバイスへ送信するよう構成され、再伝送コードブロックは、第１フィードバック情報における否定応答情報に対応するコードブロックセットに含まれるコードブロックの一部または全部を含み、受信ユニットは更に、端末デバイスによって送信された第２フィードバック情報を受信するよう構成され、第２フィードバック情報は、再伝送コードブロックに対応する、受信ステータスを示すために使用されるフィードバック情報を含む。
【００３４】
任意選択的に、送信ユニットは更に、再伝送インジケーション情報を端末デバイスへ送信するよう構成され、再伝送インジケーション情報は、再伝送コードブロックを判定するために使用される。
【００３５】
任意選択的に、少なくとも２つのコードブロックは、第１時間周波数リソースを占有し、第１時間周波数リソースは、少なくとも２つのリソース領域を含み、少なくとも２つのリソース領域は、少なくとも２つのコードブロックセットに対応し、各コードブロックセットに含まれるコードブロックは、コードブロックのコードブロックセットに対応するリソース領域を占有し、分割方式は、以下の複数の分割方式、すなわち、少なくとも２つのリソース領域が異なる時間領域に位置すること、少なくとも２つのリソース領域が異なる周波数領域に位置すること、少なくとも２つのリソース領域によって占有される時間領域および／または周波数領域リソースは、完全に同一ではないこと、ならびに、少なくとも２つのリソース領域は、少なくとも１つの第１タイプの領域、および、少なくとも１つの第２タイプの領域を含み、第１タイプの領域は、特定のコードブロックセットに対応し、第２タイプの領域は、特定のコードブロックセットに対応せず、特定のコードブロックセットは少なくとも２つのコードブロックセットに属すること、または、少なくとも２つのリソース領域は、少なくとも１つの第１タイプの領域、および、少なくとも１つの第２タイプの領域を含み、第１タイプの領域は、第１タイプのサービスの伝送をサポートし、第２タイプの領域は、第１タイプのサービスの伝送をサポートしないことのうちの１つである。
【００３６】
任意選択的に、少なくとも２つのリソース領域が異なる時間領域に位置するとき、より早い時間におけるリソース領域によって占有される時間領域リソースの数は、より遅い時間におけるリソース領域によって占有される時間領域リソースの数より多い。
【００３７】
任意選択的に、少なくとも２つのコードブロックセットは、第１タイプのコードブロックセット、および、第２タイプのコードブロックセットを含み、第１タイプのコードブロックセットおよび第２タイプのコードブロックセットは、少なくとも１つの同一のコードブロックを含む。
【００３８】
任意選択的に、無線アクセスネットワークデバイスが複数の分割方式をサポートするとき、送信ユニットは更に、第１トランスポートブロックをスケジューリングするために使用される第１スケジューリング情報を端末デバイスへ送信するよう構成され、第１スケジューリング情報は分割インジケーションを含み、分割インジケーションは、複数の分割方式のうちの１つを示すために使用される、または、送信ユニットは更に、上位層シグナリングを端末デバイスへ送信するよう構成され、上位層シグナリングは分割インジケーションを含み、分割インジケーションは、複数の分割方式のうちの１つを示すために使用される。
【００３９】
任意選択的に、送信ユニットは更に、再伝送コードブロックをスケジューリングするために使用される第２スケジューリング情報を端末デバイスへ送信するよう構成され、第２スケジューリング情報は再伝送インジケーション情報を含む。
【００４０】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【００４１】
任意選択的に、再伝送インジケーション情報は更に、再伝送コードブロックにおけるコードブロックの全部または一部に対してＨＡＲＱの組み合わせを実行できるかどうかを示すために使用される。
【００４２】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【００４３】
更に別の態様によれば、本発明の実施形態は端末デバイスを提供し、当該端末デバイスは、無線アクセスネットワークデバイスによって送信された第１トランスポートブロックを受信するよう構成される受信ユニットであって、第１トランスポートブロックは少なくとも２つのコードブロックを含み、少なくとも２つのコードブロックは、分割方式に基づいて、少なくとも２つの異なるコードブロックセットに分割され、各コードブロックセットは、少なくとも２つのコードブロックのうち少なくとも１つを含む、受信ユニットと、第１フィードバック情報を生成するよう構成される処理ユニットであって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、処理ユニットと、第１フィードバック情報を無線アクセスネットワークデバイスへ送信するよう構成される送信ユニットとを備える。
【００４４】
任意選択的に、受信ユニットは更に、無線アクセスネットワークデバイスによって送信された再伝送コードブロックを受信するよう構成され、再伝送コードブロックは、第１フィードバック情報における否定応答情報に対応するコードブロックセットに含まれるコードブロックの一部または全部を含み、送信ユニットは更に、第２フィードバック情報を無線アクセスネットワークデバイスへ送信するよう構成され、第２フィードバック情報は、再伝送コードブロックに対応する、受信ステータスを示すために使用されるフィードバック情報を含む。
【００４５】
任意選択的に、受信ユニットは更に、無線アクセスネットワークデバイスによって送信された再伝送インジケーション情報を受信するよう構成され、再伝送インジケーション情報は、再伝送コードブロックを判定するために使用され、受信ユニットは、分割方式および再伝送インジケーション情報に基づいて、再伝送コードブロックを受信する。
【００４６】
任意選択的に、少なくとも２つのコードブロックは、第１時間周波数リソースを占有し、第１時間周波数リソースは、少なくとも２つのリソース領域を含み、少なくとも２つのリソース領域は、少なくとも２つのコードブロックセットに対応し、各コードブロックセットに含まれるコードブロックは、コードブロックのコードブロックセットに対応するリソース領域を占有し、分割方式は、以下の複数の分割方式、すなわち、少なくとも２つのリソース領域が異なる時間領域に位置すること、少なくとも２つのリソース領域が異なる周波数領域に位置すること、少なくとも２つのリソース領域によって占有される時間領域および／または周波数領域リソースは、完全に同一ではないこと、ならびに、少なくとも２つのリソース領域は、少なくとも１つの第１タイプの領域、および、少なくとも１つの第２タイプの領域を含み、第１タイプの領域は、特定のコードブロックセットに対応し、第２タイプの領域は、特定のコードブロックセットに対応せず、特定のコードブロックセットは少なくとも２つのコードブロックセットに属すること、または、少なくとも２つのリソース領域は、少なくとも１つの第１タイプの領域、および、少なくとも１つの第２タイプの領域を含み、第１タイプの領域は、第１タイプのサービスの伝送をサポートし、第２タイプの領域は、第１タイプのサービスの伝送をサポートしないことのうちの１つである。
【００４７】
任意選択的に、少なくとも２つのリソース領域が異なる時間領域に位置するとき、より早い時間におけるリソース領域によって占有される時間領域リソースの数は、より遅い時間におけるリソース領域によって占有される時間領域リソースの数より多い。
【００４８】
任意選択的に、少なくとも２つのコードブロックセットは、第１タイプのコードブロックセット、および、第２タイプのコードブロックセットを含み、第１タイプのコードブロックセットおよび第２タイプのコードブロックセットは、少なくとも１つの同一のコードブロックを含む。
【００４９】
任意選択的に、無線アクセスネットワークデバイスが複数の分割方式をサポートするとき、受信ユニットは更に、第１トランスポートブロックをスケジューリングするために使用される、無線アクセスネットワークデバイスによって送信された第１スケジューリング情報を受信するよう構成され、第１スケジューリング情報は分割インジケーションを含み、分割インジケーションは、複数の分割方式のうちの１つを示すために使用される、または、受信ユニットは更に、無線アクセスネットワークデバイスによって送信された上位層シグナリングを受信するよう構成され、上位層シグナリングは分割インジケーションを含み、分割インジケーションは、複数の分割方式のうちの１つを示すために使用される。
【００５０】
任意選択的に、受信ユニットは更に、再伝送コードブロックをスケジューリングするために使用される、無線アクセスネットワークデバイスによって送信された第２スケジューリング情報を受信するよう構成され、第２スケジューリング情報は、再伝送インジケーション情報を含む。
【００５１】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【００５２】
任意選択的に、再伝送インジケーション情報は更に、再伝送コードブロックにおけるコードブロックの全部または一部に対してＨＡＲＱの組み合わせを実行できるかどうかを示すために使用される。
【００５３】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【００５４】
なお更に別の態様によれば、本発明の実施形態は通信システムを提供する。システムは、上記の態様における無線アクセスネットワークデバイスおよび端末デバイスを備える。
【００５５】
更なる態様によれば、本願はコンピュータ可読記憶媒体を提供する。コンピュータ可読記憶媒体は命令を記憶し、命令がコンピュータ上で実行されるとき、コンピュータは上記の態様における方法を実行する。
【００５６】
なお更なる態様によれば、本願は、命令を含むコンピュータプログラム製品を提供する。コンピュータプログラム製品がコンピュータ上で実行されるとき、コンピュータは、上記の態様における方法を実行する。
【００５７】
本発明において提供される解決法によれば、トランスポートブロックは少なくとも２つの異なるコードブロックセットに分割されるので、端末デバイスは、少なくとも２つの異なるコードブロックセットの受信ステータスをそれぞれフィードバックし、無線アクセスネットワークデバイスは、正確に受信されないコードブロックセットのみを再伝送し得て、その結果、いくつかのコードブロックセットが不正確に受信されることが原因で生じる、トランスポートブロックにおけるすべてのコードブロックセットのＨＡＲＱ再伝送が回避され、データ伝送効率が改善する。
【図面の簡単な説明】
【００５８】
【図１】本発明に係る可能な適用シナリオの概略図である。
【００５９】
【図２ａ】トランスポートブロックが複数のコードブロックを含むことを示す概略図である。
【図２ｂ】トランスポートブロックが複数のコードブロックを含むことを示す概略図である。
【００６０】
【図３】本発明に係るデータ伝送方法の実施形態の概略フローチャートである。
【００６１】
【図４】本発明の実施形態に係る、時間次元に従う第１時間周波数リソースの分割の概略図である。
【００６２】
【図５】本発明の実施形態に係る、周波数次元に従う第１時間周波数リソースの分割の概略図である。
【００６３】
【図６】本発明の実施形態に係る、等しくない時間長に基づく時間分割方式を使用することによる第１時間周波数リソースの分割の概略図である。
【００６４】
【図７】本発明の実施形態に係る、異なるコードブロックグループが部分的に重複することを示す概略図である。
【００６５】
【図８】本発明の実施形態に係る、異なるコードブロックグループのフィードバック情報が異なる時点においてフィードバックされることを示す概略図である。
【００６６】
【図９】本発明に係る、無線アクセスネットワークデバイスの実施形態の概略構造図である。
【００６７】
【図１０】本発明に係る、無線アクセスネットワークデバイスの別の実施形態の概略構造図である。
【００６８】
【図１１】本発明に係る、端末デバイスの実施形態の概略構造図である。
【００６９】
【図１２】本発明に係る、端末デバイスの別の実施形態の概略構造図である。
【発明を実施するための形態】
【００７０】
以下では、添付図面を参照して、本発明の実施形態における技術的解決法を説明する。
【００７１】
図１は、本発明の実施形態が適用される通信システム１００を示す。通信システム１００は、少なくとも１つの無線アクセスネットワークデバイス１１０、および、無線アクセスネットワークデバイス１１０のカバレッジ内に位置する複数の端末デバイス１２０を備え得る。図１は、１つの無線アクセスネットワークデバイスと、２つの端末デバイスとを示し、これらは例として使用される。任意選択的に、通信システム１００は、複数の無線アクセスネットワークデバイスを備え得て、各無線アクセスネットワークデバイスのカバレッジは、別の数の端末デバイスを含み得る。このことは、本発明の実施形態において限定されない。
【００７２】
任意選択的に、無線通信システム１００は更に、ネットワークコントローラまたはモビリティ管理エンティティなどの別のネットワークエンティティを備え得る。このことは、本発明の実施形態において限定されない。
【００７３】
本発明の実施形態が適用される通信システムは、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時間分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、または、直交周波数分割多重（ＯＦＤＭ）技術が適用される別の無線通信システムなどであり得る。本発明の実施形態において説明されるシステムアーキテクチャおよびサービスシナリオは、本発明の実施形態における技術的解決法をより明確に説明することを目的とするが、本発明の実施形態において提供される技術的解決法を限定することを意図するものではない。当業者であれば、ネットワークアーキテクチャの発展および新しいサービスシナリオの出現に伴い、本発明の実施形態において提供される技術的解決法が、同様の技術的問題に更に適用可能であることを認識し得る。
【００７４】
本発明の実施形態における無線アクセスネットワークデバイスは、端末デバイスのために無線通信機能を提供するよう構成され得る。無線アクセスネットワークデバイスは、様々な形態のマクロ基地局、ミクロ基地局（スモールセルとも称される）、中継局、または、アクセスポイントなどを含み得る。無線アクセスネットワークデバイスは、ＧＳＭ（登録商標）またはＣＤＭＡにおけるベーストランシーバ基地局（Ｂａｓｅ  Ｔｒａｎｓｃｅｉｖｅｒ  Ｓｔａｔｉｏｎ、ＢＴＳ）であり得る、または、ＷＣＤＭＡ（登録商標）におけるノードＢ（ＮｏｄｅＢ、ＮＢ）であり得る、または、ＬＴＥにおける拡張型ノードＢ（ｅｖｏｌｖｅｄ  ＮｏｄｅＢ、ｅＮＢまたはｅ−ＮｏｄｅＢ）であり得る、または、５Ｇネットワークにおける対応するデバイスｇＮＢであり得る。説明を容易にするべく、本発明のすべての実施形態において、端末デバイスのために無線通信機能を提供する上記の機器はすべて、無線アクセスネットワークデバイスとまとめて称される。
【００７５】
本発明の実施形態において、端末デバイスは、ユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、または、モバイル端末（Ｍｏｂｉｌｅ  Ｔｅｒｍｉｎａｌ）などとも称され得る。端末デバイスは、無線アクセスネットワーク（Ｒａｄｉｏ  Ａｃｃｅｓｓ  Ｎｅｔｗｏｒｋ、ＲＡＮ）を通して１または複数のコアネットワークと通信し得る。例えば、端末デバイスは携帯電話（または「セルラ」電話と称される）、または、モバイル端末を有するコンピュータであり得る。例えば、端末デバイスは、ポータブル、ポケットサイズ、ハンドヘルド、コンピュータ内蔵、または、車載モバイル機器であり得て、無線アクセスネットワークとの間で言葉および／またはデータを交換する。これは、本発明の実施形態において具体的に限定されるものではない。
【００７６】
ＬＴＥシステムにおいて、ＡＣＫまたはＮＡＣＫフィードバックおよびＨＡＲＱ再伝送は、トランスポートブロックに基づいて実行される。符号化および復号の複雑性、ならびに、高速符号化および復号の利点を考慮して、チャネルの符号化および復号を別個に行うために、１つのトランスポートブロックＴＢは複数のコードブロックＣＢに分割され得る。例えば、ターボ符号については、最大のＣＢにおけるビットの数は一般に６１４４である。１つのＴＢにおけるビットの数が６１４４を超える場合、符号化および復号を別個に行うために、ＴＢを複数のＣＢに分割する必要がある。ＬＤＰＣ（Ｌｏｗ−Ｄｅｎｓｉｔｙ  Ｐａｒｉｔｙ−Ｃｈｅｃｋ、低密度パリティチェック）については、最大のＣＢにおけるビットの数は、約２０００である。符号化および復号を並行して行うために、１つのＴＢは、より多くのＣＢに分割され得る。一般に、各ＣＢは、独立のチェック機能を有する。ターボ符号を例として使用する。ＣＢ  ＣＲＣ（ｃｙｃｌｉｃ  ｒｅｄｕｎｄａｎｃｙ  ｃｈｅｃｋ、巡回冗長検査）が、符号化の前に各ＣＢに追加される。このように、ＵＥが各ＣＢを復号した後に、ＣＲＣチェックを通じて、現在のＣＢが正確に復号されたかどうかが判定され得る。ＬＤＰＣについては、ＣＢ  ＣＲＣがまた各ＣＢに追加され得る、または、ＬＤＰＣの符号化マトリクスはチェック機能を有する、すなわち、ＬＤＰＣの各ＣＢはチェック機能を有する。したがって、ＴＢにおける一部のＣＢが正確に受信されない場合、ＵＥは、ＮＡＣＫを基地局へフィードバックし、次に、基地局は全ＴＢ（ＴＢにおけるすべてのＣＢを含む）に対してＨＡＲＱ再伝送を実行する。
【００７７】
ＬＴＥの絶えず発展するシステム、または、ＮＲシステムにおいて、１つのＴＢは、より多くのＣＢに分割され得る。ＴＢにおける少数のＣＢが正確に受信されないが、他のＣＢがすべて正確に受信された場合、従来のＴＢベースのＨＡＲＱフィードバックおよび再伝送の効率が低下し、システム伝送効率が影響を受ける。
【００７８】
加えて、バーストＵＲＬＬＣ緊急サービスでは、伝送されているｅＭＢＢサービスに対してパンクチャリングが実行され得る。他のＣＢと比較して、パンクチャリングされたＣＢにおいて、受信エラーが容易に生じる。ＨＡＲＱフィードバックおよび再伝送がまだＴＢに基づいて実行される場合、例えば、ＴＢにおけるすべてのＣＢが再伝送される場合、システム伝送効率が影響を受ける。
【００７９】
更に、パンクチャリングされたＣＢの再伝送については、ＵＥは、以前の伝送中にどのＣＢがＵＲＬＬＣでパンクチャリングされたかを認識できないので、ＵＥは、ＨＡＲＱ組み合わせ方式でＴＢを正確に受信できない。したがって、ＵＥがＮＡＣＫをフィードバックするとき、ＵＥのＨＡＲＱバッファは、ＵＥのＣＢではなく、ＵＲＬＬＣサービスを記憶し得る。その結果、再伝送ＣＢとのＨＡＲＱの組み合わせが実行されるとき、ＨＡＲＱの組み合わせの利益を得ることができず、更には、ＣＢを正確に受信できない。最終的に、ＲＬＣ層再伝送がトリガされ得て、結果的に、システム効率が大幅に低下する。
【００８０】
上記の問題を解決するべく、基地局は、ＵＥのためにＴＢの分割方式を構成し、ＴＢを送信する。具体的には、ＴＢをＮ個のＣＢグループ（ＣＢＧ）に分割する方式は、例えば、分割されたグループの数に基づく分割方式、次元（時間領域および／または周波数領域、または、別の次元）に従う分割方式、または、均等グループ分割方式、もしくは、不均等グループ分割方式であり得る。基地局は、ＴＢまたはＣＢＧを再伝送する。ＵＥは、ＴＢの上記の分割方式に基づいて、ＣＢＧベースのＨＡＲＱ‐ＡＣＫフィードバックを実行する。
【００８１】
以下の実施形態は、基本スケジューリング時間単位が１つのサブフレームである例（例えば、時間長は１ｍｓであり、ここでは、これに限定されない）を使用することによって説明される。別の時間領域スケジューリング粒度は、本発明において除外されない。例えば、スロットベースまたはミニスロットベースのスケジューリング、すなわち、１ｍｓより小さい、または、遥かに小さい特定の時間長を有するスケジューリング粒度が導入される。
【００８２】
ダウンリンクを例として使用すると、ダウンリンクトランスポートブロックの一般的なベースバンド送信プロセスは、以下の段階を含む。
【００８３】
（１）ＴＢの元のペイロード情報をセグメント化する、すなわち、予め定められた規則（例えば、ビット数が特定の値を超える場合、ＴＢは複数のＣＢに分割され、そうでない場合、ＴＢを分割する必要は無い）に従って、ＴＢを複数のＣＢに分割する。
【００８４】
（２）各ＣＢに対応するＣＲＣビット、すなわち、ＣＢ  ＣＲＣをＣＢのペイロードに追加し、すべてのＣＢに対応するＣＲＣビット、すなわち、ＴＢ  ＣＲＣを、すべてのＣＢを含むペイロードに追加する。
【００８５】
（３）ＣＲＣが追加された各ＣＢに対して、チャネル符号化、例えば、ターボ符号化またはＬＤＰＣ符号化を別々に実行し、コードワードを形成する。非ＭＩＭＯモードにおいて、ＵＥは一般に、１つのコードワードを生成する。ＭＩＭＯモードにおいて、ＵＥは、２つのコードワードを生成し得て、すなわち、２つのコードワードにおける元のペイロード情報は互いに独立している。本発明において別段の定めが特に無い限り、ＵＥは、１つのコードワードを生成すると仮定し、解決法は、ＵＥが２つのコードワードを生成するケースに直接拡張され得る。
【００８６】
（４）コードワードに対してスクランブルおよびコンスタレーション変調を実行し、変調シンボルを形成する。スクランブルは、セル識別子および／またはＵＥ識別子の初期化状態、ならびに、ランダムもしくは疑似ランダム関数に基づき得る。コンスタレーション変調は一般に、ＱＰＳＫ、１６ＱＡＭ、６４ＱＡＭおよび２５６ＱＡＭなどを含む。
【００８７】
（５）変調シンボルを時間、周波数および空間物理のリソース上にマッピングする。具体的には、高速符号化および復号を実装するべく、ダウンリンクを例として使用すると、物理リソースへの符号化変調シンボルのマッピングは、最初に周波数領域において、次に、時間領域において実行され、ＣＢ間インターリーブ処理は、ＣＢが独立に符号化された後に取得された情報に対して実行されない、すなわち、マッピングは、ＣＢの順番で実行される。そのような方式の利点は、以下の通りである。ＵＥがＣＢをバッファリングするとき、ＵＥは、復号を開始し得て、データチャネル上のＣＢがすべてバッファリングされるまで待つ必要が無い。
【００８８】
（６）最後に、時間領域へのＩＤＦＴまたはＩＦＦＴ変換を実行し、次に、送信を実行する。
【００８９】
従来のＬＴＥシステムにおけるＨＡＲＱフィードバックおよび再伝送は、ＴＢに特有である。具体的には、ＵＥがＴＢにおけるすべてのＣＢを正確に受信する（本発明における正確に受信するとは、一般的表現であり、元のペイロード情報の復号に成功したことを意味する）ときだけ、ＵＥは、１つのＡＣＫビットをフィードバックする、または、１つのＣＢが正確に受信されない場合でも、ＵＥは、１つのＮＡＣＫビットをＴＢにフィードバックする。基地局がＮＡＣＫフィードバックを受信した後に、基地局はどのＣＢがＵＥによって正確に受信されたか、および、どのＣＢがＵＥによって不正確に受信されたかを認識していないので、ＵＥが大部分のＣＢを正確に受信した場合でも、基地局は次に、ＴＢにおけるすべてのＣＢに対してＨＡＲＱ再伝送を実行し得る。
【００９０】
従来のＬＴＥシステムにおけるＴＢベースのＨＡＲＱフィードバックおよび再伝送の効率は高くない。説明は、図２ａおよび図２ｂを参照して提供され、詳細は以下の通りである。
【００９１】
（１）時間周波数リソースの様々な領域のチャネルおよび／または干渉ステータスは、非相関であり得る、または、ほとんど相関が無いことがあり得る。
【００９２】
チャネルの観点からは、一般に、無線通信のシステム帯域幅は、ますます高くなっており（現在、ＬＴＥキャリアの最大帯域幅は２０ＭＨｚであり、より高い帯域幅を有するキャリアが将来導入され得る）、そこで、周波数領域において互いに遠く離れた隣接するリソース上のチャネルは非相関である、すなわち、リソースは、チャネルの関連する帯域幅のカバレッジ外である。よって、複数の周波数帯におけるチャネルの周波数領域選択性フェージングは独立している。例えば、図２ａに示されるように、ＣＢ１／５／９などの周波数帯のチャネルフェージングステータスは、ＣＢ２／６／１０などの周波数帯のチャネルフェージングステータスから独立している。したがって、２つのグループのＣＢがＵＥによって正確に受信されることができるかどうかについて、２つのグループのＣＢは、互いに独立している。同様のケースが時間領域にも拡張され得る。例えば、図２ｂにおいて、ＣＢ１／５／９などの時間のチャネル時間領域フェージングステータスは、ＣＢ１３／１７／２１などの時間のチャネル時間領域フェージングステータスから独立し得る（高速シナリオであると仮定する）。
【００９３】
干渉の観点から、隣接セルは、現在のセルの異なる周波数帯域および／または時間に対して、異なる干渉を生じさせ得て、同様に、ＣＢ間の受信相関性は異なる。
【００９４】
（２）ＣＢ間の受信相関性がチャネルおよび干渉の観点から分析されることに加えて、ＵＲＬＬＣバースト伝送によって生じる、ｅＭＢＢデータ伝送に対する影響が更に考慮される必要がある。例えば、現在のセルのＵＲＬＬＣデータについて、ｅＭＢＢデータに対してパンクチャリングが実行される、または、隣接セルの短時間のＵＲＬＬＣ送信は、現在のセルに対する短時間のバースト干渉を生じさせる。これらはすべて、ＣＢ間の受信相関性に影響を与える。
【００９５】
パンクチャリングとは、ＵＲＬＬＣデータ伝送が時間周波数リソースにマッピングされるとき、伝送されているｅＭＢＢデータチャネルの一部のリソースが、ＵＲＬＬＣデータ伝送によって占有されることを意味する。このように、ＵＲＬＬＣサービスの短い遅延要件が保証されるが、現在のｅＭＢＢ伝送の性能損失が生じる、すなわち、パンクチャリングによって影響を受けるＣＢは、ＵＥによって正確に受信されないことがあり得る。パンクチャリングに加えて、ＵＲＬＬＣデータ伝送がｅＭＢＢデータ伝送をオーバーライトしない別の方式がある。代わりに、基地局は、ＵＲＬＬＣデータ伝送およびｅＭＢＢデータ伝送の両方を実行する。このように、ＵＲＬＬＣでは、ＵＲＬＬＣの性能は、パンクチャリングを通じて実現されるものより低い。しかしながら、ｅＭＢＢでは、ｅＭＢＢデータが伝送されるので、ステータスは、パンクチャリングによって影響を受けるものより良好である。しかしながら、ｅＭＢＢデータ伝送は、ＵＲＬＬＣデータ伝送から干渉を受け得て、このケースでは、影響を受けたｅＭＢＢ  ＣＢをＵＥが正確に受信できない確率が、依然として比較的高い。
【００９６】
ＬＴＥシステムにおけるＴＢベースのＨＡＲＱフィードバックおよび再伝送機構において、ＣＢの受信性能が非相関であるとき、システム伝送効率が低下する（特に、５ＧシステムにおけるＴＢが、４Ｇの場合より多くのＣＢに分割されるとき）という問題を考慮して、本願において、ＣＢＧ（Ｃｏｄｅ  Ｂｌｏｃｋ  Ｇｒｏｕｐ、コードブロックグループ）ベースの分割、ならびに、対応するＨＡＲＱフィードバックおよび再伝送機構が導入される。
【００９７】
図３を参照すると、本発明は、以下の段階を備える、データ伝送方法の実施形態を提供する。
【００９８】
Ｓ３０１．無線アクセスネットワークデバイスが、第１トランスポートブロックを端末デバイスへ送信し、第１トランスポートブロックは、少なくとも２つのコードブロックを含む。
【００９９】
少なくとも２つのコードブロックは、分割方式に基づいて、少なくとも２つの異なるコードブロックセットに分割され、各コードブロックセットは、少なくとも２つのコードブロックのうち少なくとも１つを含む。
【０１００】
任意選択的に、無線アクセスネットワークデバイスは、第１スケジューリング情報と、第１スケジューリング情報を使用することによってスケジューリングされる第１トランスポートブロックとを端末デバイスへ送信する。具体的には、第１スケジューリング情報は、制御チャネル上で搬送され得る。第１スケジューリング情報を使用することによってスケジューリングされるトランスポートブロックＴＢは、ＨＡＲＱ初回伝送において送信され得る、または、ＨＡＲＱ再伝送において送信され得る（このケースでは、全ＴＢが再伝送される）。本発明は、ＴＢがＨＡＲＱ初回伝送において送信される例を使用して説明される。加えて、ＴＢは、少なくとも２つのコードブロックＣＢを含む。例えば、図２ａおよび図２ｂに示されるＴＢは、４８個のＣＢを含む。
【０１０１】
Ｓ３０２．端末デバイスが、無線アクセスネットワークデバイスによって送信された第１トランスポートブロックを受信する。
【０１０２】
任意選択的に、端末デバイスは、第１スケジューリング情報に基づいて、第１トランスポートブロックを受信する。具体的には、第１スケジューリング情報は、変調および符号化方式、時間周波数リソース割り当て、ならびに、ＨＡＲＱプロセス番号など、第１トランスポートブロックに対応する少なくとも１つの制御情報を含み得る。
【０１０３】
任意選択的に、端末デバイスは、第１トランスポートブロックの分割方式を取得する。例えば、分割方式は、第１トランスポートブロックが分割されて生じたＣＢＧの数、および、各ＣＢＧに含まれるＣＢを含む。具体的には、分割方式は、規格において予め定められ得る、または、端末デバイスによって、シグナリング構成を無線アクセスネットワークデバイスから受信することによって取得され得る。代替的に、分割方式は、ＣＢの論理シーケンス番号に基づく分割方式であり得る。例えば、ＣＢ１からＣＢ１２はＣＢＧ１を形成し、ＣＢ１３からＣＢ２４はＣＢＧ２を形成し、ＣＢ２５からＣＢ３６はＣＢＧ３を形成し、ＣＢ３７からＣＢ４８はＣＢＧ４を形成する。代替的に、分割方式は、第１トランスポートブロックにおけるＣＢによって占有される時間周波数リソースに基づく分割方式、例えば、時間領域分割方式または周波数領域分割方式であり得る。
【０１０４】
Ｓ３０３．端末デバイスは、第１フィードバック情報を生成し、第１フィードバック情報を無線アクセスネットワークデバイスへ送信し、第１フィードバック情報は、第１トランスポートブロックに対応する少なくとも２つのフィードバック情報を含み、少なくとも２つフィードバック情報は、少なくとも２つのコードブロックセットの受信ステータスを示すためにそれぞれ使用される。
【０１０５】
端末デバイスは個々に、少なくとも２つのコードブロックセットの受信ステータスを取得し、第１フィードバック情報を無線アクセスネットワークデバイスへ送信する。端末デバイスは個々に、各コードブロックセットのフィードバック情報を取得する必要がある。コードブロックセットが正確に受信されるとき、コードブロックセットのフィードバック情報は、確認応答情報（ＡＣＫ）である、または、コードブロックセットが正確に受信されないとき、コードブロックセットのフィードバック情報は、否定応答情報（ＮＡＣＫ）である。第１フィードバック情報は、第１トランスポートブロックにおけるすべてのコードブロックセットのフィードバック情報を含む。
【０１０６】
任意選択的に、第１フィードバック情報を送信する前に、端末デバイスは、上記の分割方式に基づいて、第１フィードバック情報を生成する必要がある。ＣＢの論理的シーケンス番号に基づく分割方式を例として使用する。端末デバイスは、ＣＢＧ１、２、３および４の各々のために、ＡＣＫまたはＮＡＣＫフィードバック情報を生成する必要がある。例えば、ＣＢＧにおけるすべてのＣＢが正確に復号される場合、ＣＢＧに対応するフィードバック情報はＡＣＫである、または、ＣＢＧにおける少なくとも１つのＣＢが正確に復号されない場合、ＣＢＧに対応するフィードバック情報はＮＡＣＫである。
【０１０７】
Ｓ３０４．無線アクセスネットワークデバイスは、端末デバイスによって送信された第１フィードバック情報を受信する。
【０１０８】
本実施形態において、トランスポートブロックは少なくとも２つの異なるコードブロックセットに分割されるので、端末デバイスは、少なくとも２つの異なるコードブロックセットの受信ステータスを別々にフィードバックし、無線アクセスネットワークデバイスは、正確に受信されないコードブロックセットのみを再伝送し得て、その結果、いくつかのコードブロックセットが不正確に受信されることが原因で生じる、トランスポートブロックにおけるすべてのコードブロックセットのＨＡＲＱ再伝送が回避され、データ伝送効率が改善する。
【０１０９】
任意選択的に、本実施形態における方法は、以下の段階を更に備え得る。
【０１１０】
Ｓ３０５．無線アクセスネットワークデバイスは、再伝送コードブロック、および、再伝送インジケーション情報を端末デバイスへ送信し、再伝送コードブロックは、第１フィードバック情報における否定応答情報に対応するコードブロックセットに含まれるコードブロックの一部または全部を含む。
【０１１１】
第１フィードバック情報が少なくとも１つの第１コードブロックセットの否定応答情報を含む場合、無線アクセスネットワークデバイスは、再伝送コードブロックを端末デバイスへ送信し、再伝送コードブロックは、第１コードブロックセットに含まれるコードブロックの一部または全部を含む。
【０１１２】
Ｓ３０６．端末デバイスは再伝送コードブロックを受信する。
【０１１３】
具体的には、本発明において別段の定めが無い限り、受信は一般的表現である。受信とは、特定の情報が受信されることを意味し得る、または、情報が受信され、受信された情報に対して復号または復調などが行われることを意味し得る。例えば、ダウンリンクデータが正確に受信された場合、ＡＣＫがフィードバックされる。ここでは、受信は実際に、ダウンリンクデータが受信され、受信されたダウンリンクデータが正確に復号されることを含む。
【０１１４】
任意選択的に、無線アクセスネットワークデバイスは、再伝送コードブロックをスケジューリングするために使用される第２スケジューリング情報を端末デバイスへ送信し、端末デバイスは第２スケジューリング情報を受信し、第２スケジューリング情報は、再伝送コードブロックの変調および符号化方式、ならびに、リソース割り当て情報などを更に含む。端末デバイスは、第２スケジューリング情報に基づいて、再伝送コードブロックを受信する。
【０１１５】
Ｓ３０８．端末デバイスは、第２フィードバック情報を生成し、第２フィードバック情報は、再伝送コードブロックの受信ステータスを示すフィードバック情報を含む。
【０１１６】
端末デバイスは、再伝送コードブロックの受信ステータスに基づいて、第２フィードバック情報を生成する。端末デバイスは、再伝送コードブロックの受信ステータスを取得し、受信ステータスに基づいて、第２フィードバック情報をフィードバックする、すなわち、第２フィードバック情報は、再伝送コードブロックの復号ステータスに対応する。具体的には、再伝送コードブロックにおけるすべてのコードブロックが正確に復号された場合、ＡＣＫがフィードバックされる、または、再伝送コードブロックにおける少なくとも１つのコードブロックが正確に復号されない場合、ＮＡＣＫがフィードバックされる。
【０１１７】
Ｓ３０９．端末デバイスは第２フィードバック情報を無線アクセスネットワークデバイスへ送信する。
【０１１８】
無線アクセスネットワークデバイスは、第２フィードバック情報を受信した後に、第２フィードバック情報が否定応答情報を含むかどうかに基づいて、再伝送コードブロックが再伝送される必要があるかどうかを判定する。受信された第１フィードバック情報および第２フィードバック情報における異なるステータスに基づいて、無線アクセスネットワークデバイスは、再伝送を実行し得る、または、第１トランスポートブロックが端末デバイスによって正確に受信されるまで、複数回にわたって再伝送を実行し得る。
【０１１９】
任意選択的に、本実施形態における方法は、以下の段階を更に備え得る。
【０１２０】
Ｓ３０７．無線アクセスネットワークデバイスは、再伝送インジケーション情報を端末デバイスへ送信し、端末デバイスは再伝送インジケーション情報を受信する。再伝送インジケーション情報は、再伝送コードブロックを判定するために使用される。
【０１２１】
端末デバイスが再伝送インジケーション情報を受信した後に、段階Ｓ３０６において、端末デバイスは、分割方式および再伝送インジケーション情報に基づいて、再伝送コードブロックを受信および復号する。
【０１２２】
無線アクセスネットワークデバイスは更に、再伝送インジケーション情報を端末デバイスへ送信し得て、再伝送インジケーション情報は、再伝送インジケーション情報に基づいて、再伝送コードブロックを判定するために、端末デバイスによって使用される。
【０１２３】
再伝送インジケーション情報は、複数の情報を示すために使用され得る。例えば、再伝送インジケーション情報は、第１インジケーション情報、第２インジケーション情報、第３インジケーション情報または第４インジケーション情報のうち少なくとも１つを含み得る。再伝送コードブロックを示すことができるいかなる識別情報も、再伝送インジケーション情報を形成し得ることに留意されたい。
【０１２４】
１．第１インジケーション情報は、再伝送コードブロックに対応するコードブロックセットを示すために使用される。
【０１２５】
具体的には、少なくとも２つのコードブロックは、分割方式に基づいて、少なくとも２つの異なるコードブロックセットに分割され、第１フィードバック情報は別々に、分割されたコードブロックセットに対応する、すなわち、端末デバイスは、各ＣＢＧまたは各コードブロックセットについての第１フィードバック情報をフィードバックすると考える。したがって、再伝送コードブロックが示されるとき、無線アクセスネットワークデバイスによって送信される再伝送インジケーション情報は、再伝送コードブロックに対応する１つの特定のＣＢＧもしくはコードブロックセットまたはいくつかの特定のＣＢＧもしくはコードブロックセットを示すために使用され得て、示されたＣＢＧまたはコードブロックセットに対応するフィードバック情報はＮＡＣＫである。
【０１２６】
任意選択的に、第１インジケーション情報は、再伝送コードブロックに対応するコードブロックセットによって占有される時間周波数リソースを示すために使用される。具体的には、端末デバイスは、第１インジケーション情報に基づいて、第１トランスポートブロックによって占有されるトランスポートブロック時間周波数リソースにおける時間周波数リソースの部分を判定し、時間周波数リソースの部分は、１つの特定のＣＢＧまたはコードブロックセットによって占有される時間周波数リソースである。別の観点から、このケースでは、これは、第１トランスポートブロックによって占有されるトランスポートブロック時間周波数リソースを複数のサブ時間周波数リソースに分割することに等しく、各サブ時間周波数リソースは、各ＣＢＧまたはコードブロックセットによって占有される時間周波数リソースである。
【０１２７】
２．第２インジケーション情報は、第１トランスポートブロックにおける、再伝送コードブロックの識別子、位置、または、シーケンス番号を示すために使用される。
【０１２８】
具体的には、第２インジケーション情報は、第１トランスポートブロックにおいて、１つの特定のコードブロック、または、いくつかの特定のコードブロックを再伝送コードブロックとして示し、例えば、第１トランスポートブロックにおける、再伝送コードブロックのシーケンス番号、位置、または、識別子を示す。
【０１２９】
３．第３インジケーション情報は、再伝送コードブロックが、第１トランスポートブロックにおけるコードブロックの全部または一部を含むことを示すために使用される。
【０１３０】
具体的には、これは、第３インジケーション情報が、再伝送モードセットにおいて、一部のコードブロックが再伝送されるモードを示すために使用されることに等しく、再伝送モードセットは、すべてのコードブロックが再伝送されるモード、および、一部のコードブロックが再伝送されるモードを含む。全部のコードブロックが再伝送されるモードが示される場合、これは、第１トランスポートブロックの全体が再伝送されることに等しい。このケースでは、一部のコードブロックが再伝送されるモードが示される場合、これは、第１トランスポートブロックにおける一部のコードブロックが再伝送されることに等しい。次に、端末デバイスは、このケースにおいて、どのＣＢＧまたはコードブロックセットが再伝送されたかを判定する必要がある。再伝送ＣＢＧまたはコードブロックセットは、具体的には、第１フィードバック情報におけるＮＡＣＫ情報に対応するＣＢＧまたはコードブロックセットであり得る。
【０１３１】
４．第４インジケーション情報は、少なくとも２つの異なるコードブロックセットにおけるコードブロックセットの全部または一部に対応するＨＡＲＱ再伝送を示すために使用される。
【０１３２】
具体的には、これは、第４インジケーション情報がＨＡＲＱ伝送モードセットにおけるＨＡＲＱ再伝送モードを示すために使用されることに等しく、ＨＡＲＱ伝送モードセットはＨＡＲＱ初回伝送モードおよびＨＡＲＱ再伝送モードを含む。任意選択的に、スケジューリング情報における新規データインジケータＮＤＩ（Ｎｅｗ  Ｄａｔａ  Ｉｎｄｉｃａｔｏｒ）、または、ＮＤＩおよびＨＡＲＱプロセス番号が、インジケーションのために使用され得る。ＮＤＩのステータスが以前のＮＤＩに比べて変化する（０から１に変化する）場合、このケースでは、ＨＡＲＱ初回伝送モードが示され、このケースでは、これは、以前のトランスポートブロックが正確に受信されることに等しい。代替的に、ＮＤＩのステータスが、以前のＮＤＩに比べて変化していない（例えば、以前のＮＤＩのステータスは０であり、ＮＤＩの現在のステータスも０である）場合、ＨＡＲＱ再伝送モードが示される。次に、端末デバイスは、どのＣＢＧまたはコードブロックセットがこのケースで再伝送されたかを引き続き判定する必要がある。再伝送ＣＢＧまたはコードブロックセットは、具体的には、第１フィードバック情報におけるＮＡＣＫ情報に対応するＣＢＧまたはコードブロックセットであり得る。
【０１３３】
加えて、段階３０６は、以下の具体的段階を含む。再伝送コードブロックを受信または復号する前に、端末デバイスはまず、再伝送コードブロックが位置するＣＢＧまたはコードブロックセットを判定する必要があり、具体的には、上記の分割方式に基づいて、再伝送コードブロックを判定する必要があり（すなわち、異なる分割方式では、再伝送コードブロックの解析は異なる）、更に、再伝送インジケーション情報に基づいて、再伝送コードブロックを判定する必要がある。詳細については、以下の複数のインジケーション情報の説明を参照されたい。
【０１３４】
再伝送インジケーション情報が異なる情報を含むとき、端末デバイスは、異なる方式で、再伝送コードブロックを受信する。
【０１３５】
再伝送インジケーション情報が第１インジケーション情報を含むとき、端末デバイスは、分割方式および再伝送インジケーション情報に基づいて、少なくとも２つの異なるコードブロックセットにおける第１コードブロックセットを判定し、再伝送コードブロックは、第１コードブロックセットに属し、第１コードブロックセットの受信ステータスに対応する、第１フィードバック情報におけるフィードバック情報は、否定応答情報である。具体的には、再伝送インジケーション情報は、第１コードブロックセットのシーケンス番号を示し得る、または、第１コードブロックセットによって占有される時間周波数リソースを示し得る。
【０１３６】
再伝送インジケーション情報が第２インジケーション情報を含むとき、端末デバイスは、分割方式および再伝送インジケーション情報に基づいて、第１トランスポートブロックにおいて、特定のコードブロックまたは一部の特定のコードブロックを判定し、判定された特定のコードブロックまたは判定された複数の特定のコードブロックを再伝送コードブロックとして使用する。例えば、第１トランスポートブロックにおける再伝送コードブロックのシーケンス番号、位置または識別子が具体的に示される。
【０１３７】
再伝送インジケーション情報が第３インジケーション情報を含むとき、端末デバイスは、分割方式および再伝送インジケーション情報に基づいて、再伝送モードセットから、一部のコードブロックが再伝送されるモードを判定し、再伝送モードセットは、一部のコードブロックが再伝送されるモードと、全部のコードブロックが再伝送されるモードとを含む。端末デバイスは、分割方式に基づいて、受信ステータスが第１フィードバック情報における否定応答情報のフィードバック情報に対応する第２コードブロックセットを判定し、再伝送コードブロックは、第２コードブロックセットに属する。
【０１３８】
再伝送インジケーション情報が第４インジケーション情報を含むとき、端末デバイスは、再伝送インジケーション情報に基づいて、ＨＡＲＱ伝送モードセットからＨＡＲＱ再伝送モードを判定し、ＨＡＲＱ伝送モードセットは、ＨＡＲＱ再伝送モードおよびＨＡＲＱ初回伝送モードを含む。端末デバイスは、分割方式に基づいて、受信ステータスが第１フィードバック情報における否定応答情報のフィードバック情報に対応する第３コードブロックセットを判定し、再伝送コードブロックは、第３コードブロックセットに属する。
【０１３９】
本実施形態において、ＴＢが多数のＣＢを含むとき、無線アクセスネットワークデバイスは、ＣＢＧベースのＨＡＲＱフィードバックおよび再伝送に従って、正確に受信されていないコードブロックセットのみを端末デバイスへ再伝送し得て、その結果、少数のＣＢが不正確に受信されることが原因で生じる、ＴＢ全体におけるすべてのＣＢのＨＡＲＱ再伝送が回避され、データ伝送効率が改善され、システム伝送効率が改善される。
【０１４０】
以下では、上記の実施形態における第１トランスポートブロックの分割方式を説明する。
【０１４１】
第１トランスポートブロックにおけるコードブロックは、複数の方式で分割され得る。１．１つの方式において、第１トランスポートブロックにおけるコードブロックは、ＣＢの論理シーケンス番号に基づいて、論理的に分割され得る。２．別の方式において、第１トランスポートブロックにおけるコードブロックは、ＣＢによって占有される時間周波数リソースに基づいて分割され得る。
【０１４２】
ＣＢによって占有されるリソースに基づく分割方式は、複数の方式を更に含み得る。任意選択的に、少なくとも２つのコードブロックは、第１時間周波数リソースを占有し、第１時間周波数リソースは、少なくとも２つのリソース領域を含み、少なくとも２つのリソース領域は、少なくとも２つのコードブロックセットに対応し、各コードブロックセットに含まれるコードブロックは、コードブロックのコードブロックセットに対応するリソース領域を占有し、分割方式は、以下の複数の分割方式、すなわち、少なくとも２つのリソース領域が異なる時間領域に位置すること、少なくとも２つのリソース領域が異なる周波数領域に位置すること、少なくとも２つのリソース領域によって占有される時間領域および／または周波数領域リソースは、完全に同一ではないこと、ならびに、少なくとも２つのリソース領域は、少なくとも１つの第１タイプの領域、および、少なくとも１つの第２タイプの領域を含み、第１タイプの領域は、特定のコードブロックセットに対応し、第２タイプの領域は、特定のコードブロックセットに対応せず、特定のコードブロックセットは少なくとも２つのコードブロックセットに属すること、または、少なくとも２つのリソース領域は、少なくとも１つの第１タイプの領域、および、少なくとも１つの第２タイプの領域を含み、第１タイプの領域は、第１タイプのサービスの伝送をサポートし、第２タイプの領域は、第１タイプのサービスの伝送をサポートしないことのうちの１つである。
【０１４３】
任意選択的に、候補となるいくつかの具体的な分割方式が提供される。図４および図５に示されるように、第１時間周波数リソースはそれぞれ、時間次元および周波数次元に従って分割される。
【０１４４】
図４を参照すると、少なくとも２つのリソース領域は異なる時間領域に位置する。一実装において、例えば、第１ＴＢは、１から４８まで付番された４８個のＣＢを含む。４８個のＣＢによって占有される時間周波数リソースは、時間次元に従って、４つのＣＢＧによって占有されるリソース、すなわち、ＣＢ１からＣＢ１２によって占有されるリソース、ＣＢ１３からＣＢ２４によって占有されるリソース、ＣＢ２５からＣＢ３６によって占有されるリソース、および、ＣＢ３７からＣＢ４８によって占有されるリソースに分割される。図５を参照すると、少なくとも２つのリソース領域は、異なる周波数領域に位置する。別の実装において、例えば、第１ＴＢは、１から４８まで付番された４８個のＣＢを含む。４８個のＣＢによって占有される時間周波数リソースは、周波数次元に従って、４つのＣＢＧによって占有されるリソース、すなわち、ＣＢ｛１、５、９、１３、１７、２１、２５、２９、３３、３７、４１、４５｝によって占有されるリソース、ＣＢ｛２、６、１０、１４、１８、２２、２６、３０、３４、３８、４２、４６｝によって占有されるリソース、ＣＢ｛３、７、１１、１５、１９、２３、２７、３１、３５、３９、４３、４７｝によって占有されるリソース、および、ＣＢ｛４、８、１２、１６、２０、２４、２８、３２、３６、４０、４４、４８｝によって占有されるリソースに分割される。加えて、時間次元および周波数次元の両方に従う分割方式は、それらの分割方式と同様である、すなわち、時間次元に従う分割方式についての実施形態、および、周波数次元に従う分割方式についての実施形態の組み合わせである。
【０１４５】
加えて、ｅＭＢＢおよびＵＲＬＬＣリソースを再使用するシナリオでは、別の分割方式が本発明において更に導入され得る。特定のコードブロックセット、および、少なくとも２つのコードブロックセットにおける、特定のコードブロックセット以外の他のコードブロックセットに対応して、別の実装において、特定のＣＢＧは、ＵＲＬＬＣについてパンクチャリングされた、または、ＵＲＬＬＣによって干渉されたＣＢを含む。例えば、ＣＢ１７から２０は、ＵＲＬＬＣについてパンクチャリングされる。次に、パンクチャリングされたＣＢは、ＣＢ１３からＣＢ２４を含むＣＢＧまたはコードブロックセットに属し、特定のコードブロックセット以外の他のコードブロックセットは、他の３つのＣＢＧまたはコードブロックセットである。
【０１４６】
時間次元に従う分割方式では、フィードバック遅延を低減するべく、等しくない時間長に基づく時間分割方式が使用され得て、より早い時間に送信されるＣＢによって占有される時間リソースは、より遅い時間に送信されるＣＢによって占有される時間リソースより順番が上であり得る。図６を参照すると、一実装において、第１ＴＢは、３つのＣＢＧまたはコードブロックセット、すなわち、｛ＣＢ１からＣＢ２０、ＣＢ２１からＣＢ３６、ＣＢ３７からＣＢ４８｝、または、｛ＣＢ１からＣＢ２０によって占有されるリソース、ＣＢ２１からＣＢ３６によって占有されるリソース、ＣＢ３７からＣＢ４８によって占有されるリソース｝に分割される。更に、パンクチャリングによって生じる、ｅＭＢＢに対する影響を低減するべく、ＣＢ間インターリーブが各要素に導入され得て、例えば、インターリーブは、ＣＢ１からＣＢ２０によって占有される５つの時間領域シンボルにおいてＣＢ１からＣＢ２０に対して実行される。このように、パンクチャリングによって生じる影響を、２０個のＣＢの間で分担することができる。
【０１４７】
パンクチャリングの影響を低減することに加えて、等しくない時間長に基づく分割方式、および、ＣＢ間インターリーブを要素に導入する方式を組み合わせる利点は、最初に送信され、比較的長い時間を占有するＣＢが最初にバッファリングされてから、最初に復号され得ること、および、後に送信された、比較的短い時間を占有するＣＢが後にバッファリングされてから、後に復号されることを更に含み得る。比較的長い復号処理時間が、長い時間を占有するＣＢのために予約されており、比較的短い復号処理時間が、短い時間を占有するＣＢのために予約されているので、ＨＡＲＱフィードバック遅延を低減でき、システム伝送効率を改善できる。
【０１４８】
上記の分割方式において、マッピングが複数のＣＢについて、最初に周波数によって、次に時間によって実行されることを考慮すると、１つのＣＢによって占有されるリソースが、異なる時間領域シンボルに跨り、場合によっては、更に複数の要素間リソースに跨るケースがあり得る。図７を参照すると、第１ＴＢは、１２個の時間領域シンボルにそれぞれ対応する、１２個のＣＢＧまたはコードブロックセットに分割されると仮定する。そうすると、ＣＢ４が第１ＣＢＧおよび第２ＣＢＧの両方に属すること、すなわち、ＣＢ４が、ＣＢＧ｛ＣＢ１、２、３、４｝およびＣＢＧ｛ＣＢ４、５、６、７｝の間で共通のＣＢであることが分かる。共通のＣＢの解決法は、別の分割方式にも適用可能である。
【０１４９】
任意選択的に、無線アクセスネットワークデバイスが複数の分割方式をサポートするとき、本実施形態における方法は更に、無線アクセスネットワークデバイスが分割インジケーションを端末デバイスへ送信する段階であって、分割インジケーションは、複数の分割方式のうちの１つを示すために使用される、段階と、端末デバイスが、分割インジケーションを受信し、分割インジケーションに対応する分割方式を取得する段階とを備え得る。
【０１５０】
１つの方式において、分割インジケーションは、第１スケジューリング情報で搬送され得る。別の方式において、分割インジケーションは、上位層シグナリングで搬送され得る。
【０１５１】
無線アクセスネットワークデバイスは、ＲＲＣシグナリングを使用することによって、現在の特定の分割方式を端末デバイスに通知し得る。
【０１５２】
任意選択的に、無線アクセスネットワークデバイスは、物理層シグナリングを使用することによって、例えば、ＰＤＣＣＨを使用することによって、現在の特定の分割方式を端末デバイスに通知し得る、または、分割インジケーションは、第１スケジューリング情報で直接搬送される。更に、端末デバイスは、分割インジケーションに基づいて、現在の特定の分割方式を直接判定し得る、または、端末デバイスは、分割インジケーション、および、予め設定された規則に基づいて、現在の特定の分割方式を判定し得る。例えば、分割インジケーションは、現在のＴＢにおけるビットの数、または、現在のＴＢにおける全部のＣＢによって占有される時間周波数リソースの数に基づいて解析される。具体的な解析方法は以下の通りであり得る。例えば、ＴＢにおけるビットが比較的少数である、または、占有されたリソースが比較的少数であるとき、分割インジケーションのインジケーション粒度は比較的小さい。または、ＴＢにおけるビットが比較的多数である、または、占有されたリソースが比較的多数であるとき、分割インジケーションのインジケーション粒度は比較的大きい。
【０１５３】
任意選択的に、無線アクセスネットワークデバイスは、物理層シグナリングおよびＲＲＣシグナリングを使用することによって、端末デバイスに、現在の特定の分割方式を通知し得る。具体的には、まず、ＲＲＣシグナリングを使用することによって、一定数の分割方式が端末デバイスに設定され、次に、ＰＤＣＣＨを使用することによって、一定数の分割方式のうちの１つの分割方式が、現在の分割方式として判定される。
【０１５４】
任意選択的に、上記の実施形態において、再伝送インジケーション情報は、第２スケジューリング情報で搬送され得る。換言すれば、第２スケジューリング情報は再伝送インジケーション情報を含む。
【０１５５】
任意選択的に、第１スケジューリング情報および第２スケジューリング情報が、同一のダウンリンク制御情報フォーマットの制御チャネル上で搬送されるとき、分割インジケーションによって使用される、ダウンリンク制御情報フォーマットにおける第１フィールドと、再伝送インジケーション情報によって使用される、ダウンリンク制御情報フォーマットにおける第２フィールドとは、少なくとも１つの同一のフィールドを含む。一般に、初回伝送および再伝送をスケジューリングするために使用されるダウンリンク制御情報ＤＣＩ（Ｄｏｗｎｌｉｎｋ  Ｃｏｎｔｒｏｌ  Ｉｎｆｏｒｍａｔｉｏｎ）のフォーマットは同一であり、例えば、フォーマット１のＤＣＩである。ここでのフォーマットは、ＰＤＣＣＨの複数のＤＣＩフォーマットのうちの１つであり、異なるＤＣＩフォーマットを使用することによってスケジューリングされるデータチャネルの伝送モードは異なり得る。例えば、異なるＤＣＩフォーマットは通常、シングルアンテナデータチャネルおよびマルチアンテナデータチャネルをスケジューリングするために使用されるが、具体的に使用されるＤＣＩフォーマットは、本発明において限定されない。第１ＴＢをスケジューリングするために使用される第１スケジューリング情報は第１フィールドを含み、第１フィールドは分割方式を示す。このケースでは、第１スケジューリング情報は、再伝送インジケーション情報を含まないことがあり得る。再伝送コードブロックをスケジューリングするために使用される第２スケジューリング情報は、第２フィールドを含み、第２フィールドは再伝送インジケーション情報として使用される。このケースでは、第２スケジューリング情報は、分割方式を示さないことがあり得る。したがって、好ましくは、第１フィールドおよび第２フィールドは、ＤＣＩフォーマットの同一のフィールド、例えば、２ビットフィールドを使用し得る。当然ながら、第１フィールドおよび第２フィールドは、互いを含む関係にあり得る、すなわち、第１フィールドおよび第２フィールドは同一のフィールドを含む。例えば、第１フィールドは２ビットを含み、第２フィールドは３ビットを含む。このケースでは、第２フィールドは、第１フィールドを含む。代替的に、第１フィールドおよび第２フィールドは部分的に重複し得る。例えば、第１フィールドおよび第２フィールドは各々、３ビットを含み、第１フィールドにおける２ビットは、第２フィールドにおける２ビットと重複し、第１フィールドおよび第２フィールドは各々、１つの異なるビットを含む。
【０１５６】
第１フィールドおよび第２フィールドのインジケーション方式については、実施形態において、無線アクセスネットワークデバイスがＨＡＲＱ初回伝送においてトランスポートブロックを端末デバイスへ送信するとき、最初に伝送されるトランスポートブロックをスケジューリングするために使用される制御チャネル上で搬送される第１スケジューリング情報（例えば、ダウンリンク制御情報フォーマットＤＣＩ  ｆｏｒｍａｔ  １の制御シグナリング）における特定の第１フィールド（例えば、２つの特定のインジケーションビット）が、トランスポートブロックの分割インジケーションとして使用される。無線アクセスネットワークデバイスが、再伝送コードブロックを端末デバイスへ送信するとき、再伝送コードブロックをスケジューリングするために使用される制御チャネル上で搬送される第２スケジューリング情報（例えば、ダウンリンク制御フォーマットＤＣＩ  ｆｏｒｍａｔ  １の制御シグナリング、または、別のフォーマット、例えば、ＤＣＩ  ｆｏｒｍａｔ  １Ａの制御シグナリング）における第２フィールド（例えば、上記の２つの特定のインジケーションビット）は、再伝送インジケーション情報として使用される。例えば、初回伝送中、第１フィールドにおける２つのインジケーションビットは、４つの分割方式（例えば、第１粒度に基づく時間分割方式、第２粒度に基づく時間分割方式、第３粒度に基づく周波数分割方式、第４粒度に基づく周波数分割方式を含む）から１つの分割方式を示すために使用される。再伝送コードブロックの再伝送中、上記の選択された分割方式に基づいて、初回伝送中の第１フィールドにおける２ビットフィールドは、第２フィールドにおける２つのインジケーションビットとして再使用され得て、それにより、この分割方式において、どのコードブロックが、現在再伝送されているコードブロックであるかを更に示す。
【０１５７】
別の実施形態において、無線アクセスネットワークデバイスがＨＡＲＱ初回伝送においてトランスポートブロックを端末デバイスへ送信するとき、最初に伝送されるトランスポートブロックをスケジューリングするために使用される制御チャネル上で搬送される第１スケジューリング情報（例えば、ダウンリンク制御フォーマットＤＣＩ  ｆｏｒｍａｔ  １の制御シグナリング）における特定の第１フィールド（例えば、２つの特定のインジケーションビット）が、トランスポートブロックの分割インジケーションとして使用される。無線アクセスネットワークデバイスが、再伝送コードブロックを端末デバイスへ送信するとき、再伝送コードブロック、および、いくつかの追加ビット（例えば、１つの追加の特定のインジケーションビット）をスケジューリングするために使用される制御チャネル上で搬送される第２スケジューリング情報（例えば、ダウンリンク制御フォーマットＤＣＩ  ｆｏｒｍａｔ  １の制御シグナリング、または、別のフォーマット、例えば、ＤＣＩ  ｆｏｒｍａｔ  １Ａの制御シグナリング）における第２フィールド（例えば、第１フィールドにおける上記の２つのインジケーションビット）は、再伝送インジケーション情報として使用される。具体的には、再伝送インジケーション情報の３ビットの第２フィールドは、第１フィールドにおける２ビットを含む。第１フィールドおよび第２フィールドが同一であるケースと比較して、以下のような利点がある。再伝送コードブロックのインジケーション粒度を細かくできる、または、再伝送コードブロックのインジケーションのケースがいくつか追加される。
【０１５８】
好ましくは、第２フィールドは、ＭＣＳフィールドによって表されるステータスの全部または一部を含み得る。一部の再伝送インジケーション情報の設計については、第２スケジューリング情報におけるＭＣＳフィールドが再使用され得る。表１は、現在のＭＣＳフィールドの解析規則を示す。現在のＭＣＳフィールドが５ビットを含み、３２個のステータスを表すことが分かる。ステータスインデックス０〜２８は、２９個のＭＣＳレベルをそれぞれ表し、ペイロードインデックスの照会に使用される。ＭＣＳインデックス２９〜３１によって表される３つのステータスは主に、再伝送スケジューリング中に変調次数を変更することに使用される。加えて、初回伝送スケジューリングについては、ＭＣＳインデックス０〜２８、および、制御情報における時間周波数リソース割り当てフィールドは、トランスポートブロックまたはコードブロックのペイロードサイズを判定するために共に使用される。再伝送スケジューリングについては、コードブロックのペイロードは、対応する初回伝送中のものと一致している必要があるので、現在のＨＡＲＱ再伝送によって占有される時間周波数リソースは、制御情報における専用フィールドを使用することによって示され、再伝送スケジューリングについては、少なくともＭＣＳインデックス０〜２８は冗長であり、ＭＣＳインデックス２９〜３１は、再伝送中に変調次数を変更するためにのみ使用される。しかしながら、再伝送中に変調次数を変更することの大きな必要性が無く、したがって、ＭＣＳインデックス２９〜３１は、冗長と見なされ得る。
［表１  ＭＣＳ解析規則］
【表１】
0006908711.tif 000002
【０１５９】
任意選択的に、再伝送インジケーション情報は更に、再伝送コードブロックにおけるコードブロックの全部または一部に対してＨＡＲＱの組み合わせを実行できるかどうかを示すために使用される。例えば、第２フィールドまたは追加フィールドは、ＨＡＲＱの組み合わせを実行するかどうかを更に示すために使用され、その結果、ｅＭＢＢがＵＲＬＬＣに関してパンクチャリングされる、または、ＵＲＬＬＣに関して干渉されるシナリオにおいて、ＨＡＲＱバッファの汚染問題を回避できる。
【０１６０】
任意選択的に、再伝送インジケーション情報は、一部のコードブロックが再伝送されるモード、または、全部のコードブロックが再伝送されるモードを示すために更に使用される。この解決法において、トランスポートブロック全体の再伝送と、トランスポートブロックにおける一部のコードブロックの再伝送との間に、動的切り替えを実行でき、多数のコードブロックが不正確に受信されないとき、トランスポートブロック全体の再伝送が示され得る。
【０１６１】
任意選択的に、第１フィードバック情報は更に、第１トランスポートブロックに対応する、受信ステータスを示すために使用されるフィードバック情報を含む、および／または、第２フィードバック情報は更に、第１トランスポートブロックに対応する、受信ステータスを示すために使用されるフィードバック情報を含む。
【０１６２】
従来のＬＴＥシステムにおいて、ＴＢにおける複数のＣＢが別々に符号化される前に、ＣＲＣを追加する必要がある。具体的には、まず、ＴＢ  ＣＲＣビット（一般に、２４個のＴＢ  ＣＲＣビット）をＴＢの元の情報ビットに追加する必要があり、次に、ＴＢが複数のＣＢにセグメント化され、次に、ＣＢ  ＣＲＣを各ＣＢに追加する必要がある（一般に、２４個のＣＢ  ＣＲＣビットを各ＣＢに追加する必要がある）。２つのレベルのＣＲＣ追加処理は、すべてのＣＢの復号がＣＢ  ＣＲＣチェックに合格したが、実際には、一部のＣＢの復号は不正確である、すなわち、一部のＣＢの復号において誤警報が生じるというケースを防止することを意図しており、誤警報の確率は、ＴＢから分割されたＣＢの数が増加するにつれて増加する。したがって、ＣＢ  ＣＲＣに加えて、ＴＢ  ＣＲＣ全体が、追加の保護層として使用される。このように、すべてのＣＢ  ＣＲＣチェックが成功した場合でも、一部のＣＢにおいて誤警報が生じるとき、最後のＴＢ  ＣＲＣチェックは不合格となる。
【０１６３】
同様の考え方は、一部のＣＢについてフィードバックが実行され、かつ、一部のＣＢが再伝送されるケースにも適用可能である。具体的には以下の通りである。
【０１６４】
任意選択的に、端末デバイスは更に、第１フィードバック情報において、第１トランスポートブロックに対応するフィードバック情報をフィードバックする必要があり、すなわち、第１フィードバック情報は更に、第１トランスポートブロックに対応する、受信ステータスを示すために使用されるフィードバック情報を含む。第１フィードバック情報については、最初に伝送されたトランスポートブロックの分割方式に基づいて、分割を通じて取得されたＣＢＧについて、フィードバックが実行される。例えば、ＴＢは４つのＣＢを含み、４つのＣＢは２つのＣＢＧに分割され、ＣＢ１およびＣＢ２はＣＢＧ１を形成し、ＣＢ３およびＣＢ４はＣＢＧ２を形成すると仮定する。端末デバイスは、各ＣＢに対して、復号およびＣＢ  ＣＲＣチェックを別々に実行し、次に、ＣＢ１およびＣＢ２の復号およびＣＲＣチェックステータスについてＣＢＧ１のフィードバック情報を生成する。例えば、ＣＢ１およびＣＢ２がＣＢ  ＣＲＣチェックに合格した場合、ＡＣＫがフィードバックされる、または、ＣＢ１もしくはＣＢ２のいずれかがＣＢ  ＣＲＣチェックにおいて不合格となった場合、ＮＡＣＫがフィードバックされる。同様に、ＣＢＧ２について処理が実行される。ＣＢまたはＣＢＧの誤警報の問題を回避するべく、端末デバイスは更に、ＴＢ  ＣＲＣを通してＴＢ全体の復号ステータスをチェックして、ＣＢ  ＣＲＣ全体に対応する１つの追加フィードバック情報を生成する。例えば、ＣＢＧ１およびＣＢＧ２の両方がすべてのＣＢ  ＣＲＣチェックに合格した場合でも、ＴＢ  ＣＲＣが不合格であるとき、端末デバイスは、ＴＢ  ＣＲＣに対応するフィードバック情報についてのＮＡＣＫを生成し、ＮＡＣＫを無線アクセスネットワークデバイスへ送信する。このケースでは、無線アクセスネットワークデバイスは、ＴＢ全体が正確に伝送されていないと見なすので、ＡＣＫまたはＮＡＣＫのどちらがＣＢＧ１およびＣＢＧ２の２つのフィードバックビットにおいてフィードバックされるかは重要でない。このケースでは、無線アクセスネットワークデバイスおよび端末デバイスは、どのＣＢ  ＣＲＣが誤警報を有するか、または、どの複数のＣＢ  ＣＲＣが誤警報を有するかを認識できない。
【０１６５】
具体的には、上記のケースの最適なフィードバック状態は以下の通りである。｛ＣＢＧ１、ＣＢＧ２、ＴＢ｝に対応するフィードバック状態はそれぞれ、｛ＡＣＫ、ＡＣＫ、ＡＣＫ｝、｛ＡＣＫ、ＮＡＣＫ、ＮＡＣＫ｝、｛ＮＡＣＫ、ＡＣＫ、ＮＡＣＫ｝、｛ＮＡＣＫ、ＮＡＣＫ、ＮＡＣＫ｝、および、｛ＡＣＫ、ＡＣＫ、ＮＡＣＫ｝である。最後の状態において、各ＣＢに対応するフィードバック情報はＡＣＫであり、ＴＢのみがＮＡＣＫに対応し、ＣＢ  ＣＲＣが誤警報を有することを示す。このケースでは、一般に、無線アクセスネットワークデバイスは、特定のＣＢが正確に受信されていないと仮定できない。仮定の方式は、無線アクセスネットワークデバイスの内部実装アルゴリズムに依存する。この特殊な状態は、ＣＢ  ＣＲＣが誤警報を有することを無線アクセスネットワークデバイスに通知するために使用される。他のフィードバック状態については、無線アクセスネットワークデバイスは、ＡＣＫに対応するＣＢＧが正確に受信されたと仮定できる。
【０１６６】
任意選択的に、第１トランスポートブロックのフィードバック情報のフィードバックについては、第１フィードバック情報は、第１トランスポートブロックに対応するフィードバック情報を含まない、すなわち、第１フィードバック情報は、第１トランスポートブロックに対応する、受信ステータスを示すために使用されるフィードバック情報を含まないことがあり得る。別の実施形態において、ＵＥは、ＴＢベースのＡＣＫ／ＮＡＣＫをフィードバックすること以外の規則を制定し得る。規則は、ＴＢ  ＣＲＣが不合格になったことをＵＥが検出した場合、ＴＢを分割することによって取得された複数のＣＢＧの受信ステータスに関わらず、ＵＥが、すべてのＣＢＧにＮＡＣＫをフィードバックすることを含み得る。すなわち、上記の例では、ＵＥは、ＣＢＧ１およびＣＢＧ２の各々について、それぞれ１ビットをフィードバックする、すなわち、合計２ビットをフィードバックし、ＴＢ  ＣＲＣに対応するフィードバック情報をフィードバックする必要が無い。ＴＢ  ＣＲＣが不合格である場合、ＵＥは、ＣＢＧ１およびＣＢＧ２の受信ステータスに関わらず、｛ＮＡＣＫ、ＮＡＣＫ｝をフィードバックする。代替的には、すべてのＣＢＧに含まれるすべてのＣＢに対応する受信ステータスが「正確に受信された」であり、すなわち、ＣＢまたはＣＢＧの復号ステータスがチェックに合格する、例えば、ＣＢ  ＣＲＣまたはＣＢＧ  ＣＲＣに合格する、または、チェックマトリクスのチェック（具体的な方式は限定されない）に合格するが、ＴＢ全体の復号ステータスが、このケースにおいてチェックに不合格となり、例えば、ＴＢ  ＣＲＣチェックまたはＴＢチェックマトリクスのチェック（具体的な方式は限定されない）において不合格となると端末デバイスが判定した場合、端末デバイスは、すべてのＣＢＧに対応する復号ステータスをＮＡＣＫに設定し、ＮＡＣＫを報告する。例えば、１つのＴＢは２つのＣＢＧに分割される。端末デバイスがＣＢ  ＣＲＣまたはＣＢＧ  ＣＲＣを通じて、各ＣＢＧがチェックに合格したと判定した、すなわち、このケースでは、端末デバイスが２つのＡＣＫをフィードバックできる場合、しかし、ＴＢ  ＣＲＣが不合格となる場合、端末デバイスは、２つのＮＡＣＫを報告する必要があり、何らかの他の情報をＴＢに報告する必要が無い。このケースでは、少なくとも１つのＣＢＧにおいて誤警報があるはずである、すなわち、ＣＢＧは実際には正確に復号されていないがチェックに合格したことが分かる。しかし、端末デバイスも、基地局も、どのＣＢまたはＣＢＧが誤警報を有するかを判定できない。したがって、端末デバイスが、各ＣＢＧにＮＡＣＫを報告する、すなわち、全ＮＡＣＫを報告することは意味がある。基地局については、基地局は、報告された全ＮＡＣＫを受信し、以下の２つのステータスを区別する必要が無い。第１ステータスにおいて、ＣＢＧはすべてチェックに合格するが、ＴＢはチェックにおいて不合格となる。第２ステータスにおいて、すべてのＣＢＧが復号において不合格となる。このケースでは、基地局については、好ましい操作は、すべてのＣＢＧに対してＨＡＲＱ再伝送を実行することである。
【０１６７】
任意選択的に、第１フィードバック情報は、各ＣＢＧに対応するＣＢＧフィードバック情報、および、ＴＢに対応するＴＢフィードバック情報を含み、フィードバック情報の送信は、チャネル選択を通じて実装され得る。具体的には、すべてのＣＢＧが正確に復号される、もしくは、復号に失敗する、または、すべてのＣＢＧがチェックに合格するが、ＴＢ  ＣＲＣチェックが不合格である場合、端末デバイスは、フィードバック情報、例えば、ＴＢに対応するＡＣＫまたはＮＡＣＫを第１フィードバックチャネルリソース上で送信するが、ＣＢＧに対応するフィードバック情報を第２フィードバックチャネルリソース上で送信しない。一部のＣＢＧが正確に復号されるが、他のＣＢＧが復号に失敗する場合、端末デバイスは、各ＣＢＧに対応するフィードバック情報を第２フィードバックチャネルリソース上で送信するが、ＴＢに対応するフィードバック情報を第１フィードバックチャネルリソースまたは第２フィードバックチャネルリソース上で送信しない。更に、任意選択的に、第１フィードバックチャネルリソースの判定規則は、第２フィードバックチャネルリソースの判定規則とは異なる。例えば、第１フィードバックチャネルリソースは、黙示的規則を使用することによって判定され、第２フィードバックチャネルリソースは、明示的な規則を使用することによって判定される。黙示的規則は、ＴＢまたはＣＢＧをスケジューリングするために使用されるダウンリンク制御チャネルのリソースを使用することによって、対応する第１フィードバックチャネルリソースを黙示的に示すことを含み、明示的規則は、上位層シグナリングおよび／または物理層シグナリングを使用することによって、第２フィードバックチャネルリソースを明示的に示すことを含む。それに応じて、基地局は、端末デバイス側によってＴＢおよびＣＢＧに対して実行される復号の具体的なステータスを認識しないので、基地局側は、第１フィードバックチャネルリソースおよび第２フィードバックチャネルリソースに対してブラインド検出を実行する必要が無い。同様に、上記の解決法は、第２フィードバック情報を送信するための方法に拡張され得る。
【０１６８】
第２フィードバック情報は、一部のＣＢが再伝送されるケースに対応する。任意選択的に、端末デバイスは更に、第２フィードバック情報において、第１トランスポートブロックに対応するフィードバック情報をフィードバックする必要があり、すなわち、第２フィードバック情報は更に、第１トランスポートブロックに対応する、受信ステータスを示すために使用されるフィードバック情報を含む。加えて、本実施形態は、第１フィードバック情報についての２つの実施形態と組み合わされ得て、すなわち、第１フィードバック情報は、第１トランスポートブロックのフィードバック情報を含む、または、第１フィードバック情報は、第１トランスポートブロックのフィードバック情報を含まない。いずれの実施形態が本実施形態と組み合わされるかに関わらず、任意選択的に、第２フィードバック情報のコードブックのサイズは、第１フィードバック情報のコードブックのサイズ以下であり得る。ここでは、コードブックのサイズは、符号化前の、第１トランスポートブロック、または、第１トランスポートブロックにおける再伝送コードブロックについてのフィードバック情報におけるＡＣＫ／ＮＡＣＫにおけるビットの数と等しい。
【０１６９】
例えば、ＴＢが６つのＣＢを含み、ＣＢが３つのＣＢＧ、すなわち、｛ＣＢ１およびＣＢ２｝、｛ＣＢ３およびＣＢ４｝、｛ＣＢ５およびＣＢ６｝に分割されると仮定する。端末デバイスが第１フィードバック情報をフィードバックするとき、誤警報が生じないと仮定する。例えば、端末デバイスによる状態フィードバックは、｛ＮＡＣＫ、ＮＡＣＫ、ＡＣＫ、ＮＡＣＫ｝であり、無線アクセスネットワークデバイスは、ＣＢＧ３が正確に受信され、ＣＢＧ１およびＣＢＧ２が正確に受信されていないと仮定する。次に、無線アクセスネットワークデバイスは、ＣＢＧ１およびＣＢＧ２においてＣＢを端末デバイスへ再伝送し、無線アクセスネットワークデバイスは、再伝送ＣＢを符号化するとき、ＴＢ  ＣＲＣをＣＢ１からＣＢ４に追加せず、端末デバイスは、ＣＢＧ１、ＣＢＧ２、および、ＴＢにフィードバック情報を別々にフィードバックする。例えば、上記の例において、再伝送ＣＢＧ１およびＣＢＧ２を受信した後に、ＣＢＧ１およびＣＢＧ２についてのフィードバック情報に加えて、端末デバイスは更に、ＣＢＧ１、ＣＢＧ２およびＣＢＧ３に対してＴＢ  ＣＲＣチェックを実行し、第１ＴＢ全体に対応するＡＣＫ／ＮＡＣＫをフィードバックし得る。
【０１７０】
第２フィードバック情報は、第１ＴＢに対応するフィードバック情報を含む必要があり、第１フィードバック情報のような予め定められた規則を使用できないことに留意されたい。具体的には、第２フィードバック情報が、第１ＴＢに対応するフィードバック情報を含まないが、第１フィードバック情報のような予め定められた規則の解決法が使用される場合、すなわち、再伝送コードブロックが復号された後に、ＴＢ  ＣＲＣが不合格になったと判定された場合、再伝送コードブロックの各々について、ＮＡＣＫがフィードバックされるが、第１ＴＢに対応するフィードバック情報はフィードバックされない。無線アクセスネットワークデバイスは、すべての再伝送コードブロックの受信ステータスがＮＡＣＫであるかどうか（このケースでは、無線アクセスネットワークデバイスは次に、再伝送コードブロックのみを伝送する必要がある）、および、すべての再伝送コードブロックの受信ステータスがＡＣＫであるが、ＴＢ  ＣＲＣが不合格であるかどうかを区別できない。後者のケースにおいて、無線アクセスネットワークデバイスは次に、誤警報の問題に起因して、第１ＴＢにおけるすべてのコードブロックを再伝送する必要がある。
【０１７１】
第２フィードバック情報の別の実施形態において、第２フィードバック情報のコードブックのサイズは、第１フィードバック情報のコードブックのサイズに等しい。すべてのＣＢＧがチェックに合格するが、ＴＢがチェックにおいて不合格となるときに全ＮＡＣＫが報告されるという方法も、本実施形態に適用可能である。例えば、１つのＴＢは２つのＣＢＧに分割される。初回伝送についての第１フィードバック情報は、ＣＢＧ１に対応するＡＣＫと、ＣＢＧ２に対応するＮＡＣＫとを含む。次に、基地局は、ＣＢＧ２を再伝送する。ＣＢＧ２に対して端末デバイスによって実行される復号がチェックに合格するが、ＣＢＧ１およびＣＢＧ２を含むＴＢの復号がチェックにおいて不合格となる場合、端末デバイスがＣＢＧの再伝送についてのＨＡＲＱフィードバックを実行するとき、コードブックのサイズは依然として２ビットである。具体的には、上記の実施形態において、２つのＮＡＣＫ、すなわち、全ＮＡＣＫがフィードバックされる。
【０１７２】
フィードバック情報のコードブックのサイズについての別の実施形態において、第１フィードバック情報のＡＣＫ／ＮＡＣＫコードブックのサイズは、第２フィードバック情報のＡＣＫ／ＮＡＣＫコードブックのサイズ以上である。具体的には、ＴＢにおいて、ＣＢ１およびＣＢ２はＣＢＧ１を形成し、ＣＢ３およびＣＢ４はＣＢＧ２を形成し、ＣＢ５およびＣＢ６はＣＢＧ３を形成し、ＣＢ７およびＣＢ８はＣＢＧ４を形成し、ＴＢベースのＡＣＫ／ＮＡＣＫはフィードバックされないこと、ならびに、ＡＣＫ／ＮＡＣＫコードブックのサイズは４であり、例えば、４つのＣＢＧにそれぞれ対応して、｛ＡＣＫ、ＡＣＫ、ＡＣＫ、ＮＡＣＫ｝であることを仮定する。次に、ＣＢＧ４におけるＣＢの再伝送について、フィードバックが実行されるとき、４ビットがフィードバックされ、このケースでは、｛ＡＣＫ、ＤＴＸ、ＤＴＸ、ＤＴＸ｝または｛ＤＴＸ、ＤＴＸ、ＤＴＸ、ＡＣＫ｝であり得る。ＤＴＸは、いずれのＣＢＧにも対応しない、占有されたビットとして理解され得る。当然ながら、第２フィードバック情報については、ＡＣＫ／ＮＡＣＫコードブックにおけるすべてのＣＢＧについてのビット位置を予約する必要が無いことがあり得る。このケースでは、第２フィードバック情報のコードブックのサイズは、第１フィードバック情報のコードブックのサイズより小さいことがあり得る。
【０１７３】
任意選択的に、第１フィードバック情報のコードブックのサイズが第２フィードバック情報のコードブックのサイズに等しいとき、第２フィードバック情報は更に、第２ＴＢに対応するフィードバック情報、および／または、第２ＴＢにおけるＣＢに対応するフィードバック情報を含む。
【０１７４】
フィードバック情報のコードブックのサイズについての別の実施形態において、同一サイズのＡＣＫ／ＮＡＣＫコードブックが使用される場合、一部のＣＢが再伝送されるとき、別のＴＢが伝送され得る。別のＴＢはＴＢ２または第２ＴＢであり、ＴＢ２は２つのＣＢＧを含むと仮定する。ＴＢ１におけるＣＢＧ４についてフィードバックが実行されるとき、ＴＢ２における２つのＣＢＧに対応する２ビットが共にフィードバックされる。すなわち、フィードバックされる３ビットは、｛ＡＣＫ、ＤＴＸ、ＡＣＫ、ＮＡＣＫ｝であり、フィードバック位置はそれぞれ、ＴＢ１におけるＣＢＧ４、占有されたビット、ＴＢ２におけるＣＢＧ１、および、ＴＢ２におけるＣＢＧ２に対応する。ＴＢ２における２つのＣＢＧに対応するフィードバックビットは、ＡＣＫ／ＮＡＣＫコードブックの末尾部分に位置することが分かる。このように、ＴＢ１におけるＣＢＧのＡＣＫ／ＮＡＣＫ位置は影響を受けないことがあり得て、ＡＣＫ／ＮＡＣＫコードブックにおけるビットの理解における、基地局とＵＥとの間の不一致の問題が回避される。異なるＴＢに対応するフィードバック位置が互いに依存していない限り、ＴＢ２に対応するＡＣＫ／ＮＡＣＫを配置するための別の方法は、除外されない。例えば、｛ＡＣＫ、ＤＴＸ、ＮＡＣＫ、ＡＣＫ｝はそれぞれ、ＴＢ１におけるＣＢＧ４、占有されたビット、ＴＢ２におけるＣＢＧ２、および、ＴＢ２におけるＣＢＧ１に対応する。
【０１７５】
任意選択的に、第１フィードバック情報における特定のフィードバック情報がＡＣＫであるとき、特定のフィードバック情報は、少なくとも２つのコードブロックセットにおける特定のコードブロックセットに対応し、再伝送コードブロックに対応するコードブロックセットは、特定のコードブロックセットを含まず、端末デバイスが第２フィードバック情報をフィードバックするとき、端末デバイスは、第２フィードバック情報のコードブックにおける特定のコードブロックセットに対応するビット位置をＮＡＣＫで充填する。具体的には、初回伝送についてＡＣＫ／ＮＡＣＫがフィードバックされるときにＡＣＫがフィードバックされるＣＢＧについては、一部のＣＢの再伝送および第２ＴＢのフィードバック情報について合同でフィードバックが実行されるので、第２ＴＢまたは第２ＴＢにおけるＣＢについて、不正確なフィードバックが実行されることを考慮して、ＣＢの再伝送中に、以前のＡＣＫに対応するＣＢＧについて、ＮＡＣＫ充填が実行される。例えば、無線アクセスネットワークデバイスが第２ＴＢをスケジューリングするが、端末デバイスが、第２ＴＢをスケジューリングするために使用される制御情報を失った場合、特定のコードブロックセットの位置が依然として、以前にフィードバックされたＡＣＫのようなＡＣＫで充填されている場合、無線アクセスネットワークデバイスは、当該ＡＣＫを、第２ＴＢに対応するＡＣＫと誤解する。このように、無線アクセスネットワークデバイスおよび端末デバイスは、フィードバック情報の理解において、互いに不一致であり得て、第２ＴＢの物理層パケット喪失イベントが生じる。
【０１７６】
任意選択的に、第１フィードバック情報における少なくとも２つのコードブロックセットに対応するフィードバック情報は、異なる時点においてフィードバックされる、または、第２フィードバック情報における再伝送コードブロックに対応するフィードバック情報は、異なる時点においてフィードバックされる。
【０１７７】
例として第１フィードバック情報を使用する説明を提供し、第２フィードバック情報の解決法において、同様の処理が使用される。具体的には、図８に示されるように、３つの時間領域シンボルを粒度として使用する時間分割方式が使用され、第１ＴＢは、時間分割を通じて４つのＣＢＧに分割されると仮定する。ＣＢのリソースマッピング規則は、第１に周波数で、第２に時間でマッピングすることであるので、異なる要素は、すべてのＣＢがバッファリングされるまで合同処理を待つことなく、バッファリング時間の順番に従って、順番に復号され得る。次に、最初にマッピングおよび送信された要素に対応するＣＢについて、端末デバイスは、当該ＣＢを最初に復号し得る。後にマッピングおよび送信された要素に対応するＣＢについて、端末デバイスは、当該ＣＢを後に復号し得る。このように、最初に復号されたＣＢについて、端末デバイスは、フィードバック情報を最初に生成および送信し得る。同様に、後に復号されたＣＢについて、端末デバイスは、フィードバック情報を後に生成および送信し得る。例えば、端末デバイスは、異なる時点において、または、異なる伝送時間間隔ＴＴＩで、フィードバック情報を送信し得る。それに応じて、無線アクセスネットワークデバイスは、端末デバイスによって送信されたフィードバック情報を、異なる時点において、または、異なるＴＴＩで順番に受信し得て、これにより、無線アクセスネットワークデバイス側の後のパイプライン処理手順を迅速化する。
【０１７８】
上記の方法に対応して、本発明は、端末デバイスおよび無線アクセスネットワークデバイスの実施形態を提供する。端末デバイスおよび無線アクセスネットワークデバイスは、上記の方法の実施形態における段階をそれぞれ実行し得る。
【０１７９】
図９を参照すると、本発明は、無線アクセスネットワークデバイスの実施形態を提供し、当該実施形態は、第１トランスポートブロックに含まれる少なくとも２つのコードブロックを、分割方式に基づいて少なくとも２つの異なるコードブロックセットに分割するよう構成される処理ユニット９０１であって、各コードブロックセットは、少なくとも２つのコードブロックのうち少なくとも１つを含む、処理ユニット９０１と、第１トランスポートブロックを端末デバイスへ送信するよう構成される送信ユニット９０２と、端末デバイスによって送信された第１フィードバック情報を受信するよう構成される受信ユニット９０３であって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、受信ユニット９０３とを備える。
【０１８０】
任意選択的に、送信ユニットは更に、再伝送コードブロックを端末デバイスへ送信するよう構成され、再伝送コードブロックは、第１フィードバック情報における否定応答情報に対応するコードブロックセットに含まれるコードブロックの一部または全部を含み、受信ユニットは更に、端末デバイスによって送信された第２フィードバック情報を受信するよう構成され、第２フィードバック情報は、再伝送コードブロックに対応する、受信ステータスを示すために使用されるフィードバック情報を含む。
【０１８１】
任意選択的に、送信ユニットは更に、再伝送インジケーション情報を端末デバイスへ送信するよう構成され、再伝送インジケーション情報は、再伝送コードブロックを判定するために使用される。
【０１８２】
本実施形態における、第１トランスポートブロック、コードブロックセット、分割方式、再伝送コードブロックの詳細な説明については、上記の方法の実施形態を参照されたい。
【０１８３】
任意選択的に、無線アクセスネットワークデバイスが複数の分割方式をサポートするとき、送信ユニットは更に、第１トランスポートブロックをスケジューリングするために使用される第１スケジューリング情報を端末デバイスへ送信するよう構成され、第１スケジューリング情報は分割インジケーションを含み、分割インジケーションは、複数の分割方式のうちの１つを示すために使用される、または、送信ユニットは更に、上位層シグナリングを端末デバイスへ送信するよう構成され、上位層シグナリングは分割インジケーションを含み、分割インジケーションは、複数の分割方式のうちの１つを示すために使用される。
【０１８４】
任意選択的に、送信ユニットは更に、再伝送コードブロックをスケジューリングするために使用される第２スケジューリング情報を端末デバイスへ送信するよう構成され、第２スケジューリング情報は再伝送インジケーション情報を含む。
【０１８５】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【０１８６】
任意選択的に、再伝送インジケーション情報は更に、再伝送コードブロックにおけるコードブロックの全部または一部に対してＨＡＲＱの組み合わせを実行できるかどうかを示すために使用される。
【０１８７】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【０１８８】
本実施形態における第１フィードバック情報、再伝送インジケーション情報、第１スケジューリング情報、および、第２スケジューリング情報の定義および具体的実装については、上記の方法の実施形態の関連する説明を参照されたい。
【０１８９】
図１０を参照すると、無線アクセスネットワークデバイスのハードウェア要素は、第１トランスポートブロックに含まれる少なくとも２つのコードブロックを、分割方式に基づいて少なくとも２つの異なるコードブロックセットに分割するよう構成されるプロセッサ１００１であって、各コードブロックセットは、少なくとも２つのコードブロックのうち少なくとも１つを含む、プロセッサ１００１と、第１トランスポートブロックを端末デバイスへ送信するよう構成される送信機１００２と、端末デバイスによって送信された第１フィードバック情報を受信するよう構成される受信機１００３であって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、受信機１００３とを備える。
【０１９０】
任意選択的に、送信機は更に、再伝送コードブロックを端末デバイスへ送信するよう構成され、再伝送コードブロックは、第１フィードバック情報における否定応答情報に対応するコードブロックセットに含まれるコードブロックの一部または全部を含み、受信機は更に、端末デバイスによって送信された第２フィードバック情報を受信するよう構成され、第２フィードバック情報は、再伝送コードブロックに対応する、受信ステータスを示すために使用されるフィードバック情報を含む。
【０１９１】
任意選択的に、送信機は更に、再伝送インジケーション情報を端末デバイスへ送信するよう構成され、再伝送インジケーション情報は、再伝送コードブロックを判定するために使用される。
【０１９２】
本実施形態における、第１トランスポートブロック、コードブロックセット、分割方式、再伝送コードブロックの詳細な説明については、上記の方法の実施形態を参照されたい。
【０１９３】
任意選択的に、無線アクセスネットワークデバイスが複数の分割方式をサポートするとき、送信機は更に、第１トランスポートブロックをスケジューリングするために使用される第１スケジューリング情報を端末デバイスへ送信するよう構成され、第１スケジューリング情報は分割インジケーションを含み、分割インジケーションは、複数の分割方式のうちの１つを示すために使用される、または、送信機は更に、上位層シグナリングを端末デバイスへ送信するよう構成され、上位層シグナリングは分割インジケーションを含み、分割インジケーションは、複数の分割方式のうちの１つを示すために使用される。
【０１９４】
任意選択的に、送信機は更に、再伝送コードブロックをスケジューリングするために使用される第２スケジューリング情報を端末デバイスへ送信するよう構成され、第２スケジューリング情報は再伝送インジケーション情報を含む。
【０１９５】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【０１９６】
任意選択的に、再伝送インジケーション情報は更に、再伝送コードブロックにおけるコードブロックの全部または一部に対してＨＡＲＱの組み合わせを実行できるかどうかを示すために使用される。
【０１９７】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【０１９８】
本実施形態における第１フィードバック情報、再伝送インジケーション情報、第１スケジューリング情報、および、第２スケジューリング情報の定義および具体的実装については、上記の方法の実施形態の関連する説明を参照されたい。
【０１９９】
図１１を参照すると、本発明は、端末デバイスを提供し、当該端末デバイスは、無線アクセスネットワークデバイスによって送信された第１トランスポートブロックを受信するよう構成される受信ユニット１１０１であって、第１トランスポートブロックは少なくとも２つのコードブロックを含み、少なくとも２つのコードブロックは、分割方式に基づいて、少なくとも２つの異なるコードブロックセットに分割され、各コードブロックセットは、少なくとも２つのコードブロックのうち少なくとも１つを含む、受信ユニット１１０１と、第１フィードバック情報を生成するよう構成される処理ユニット１１０２であって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、処理ユニット１１０２と、第１フィードバック情報を無線アクセスネットワークデバイスへ送信するよう構成される送信ユニット１１０３とを備える。
【０２００】
任意選択的に、受信ユニットは更に、無線アクセスネットワークデバイスによって送信された再伝送コードブロックを受信するよう構成され、再伝送コードブロックは、第１フィードバック情報における否定応答情報に対応するコードブロックセットに含まれるコードブロックの一部または全部を含み、送信ユニットは更に、第２フィードバック情報を無線アクセスネットワークデバイスへ送信するよう構成され、第２フィードバック情報は、再伝送コードブロックに対応する、受信ステータスを示すために使用されるフィードバック情報を含む。
【０２０１】
任意選択的に、受信ユニットは更に、無線アクセスネットワークデバイスによって送信された再伝送インジケーション情報を受信するよう構成され、再伝送インジケーション情報は、再伝送コードブロックを判定するために使用され、受信ユニットは、分割方式および再伝送インジケーション情報に基づいて、再伝送コードブロックを受信する。
【０２０２】
本実施形態における、第１トランスポートブロック、コードブロックセット、分割方式、再伝送コードブロックの詳細な説明については、上記の方法の実施形態を参照されたい。
【０２０３】
任意選択的に、無線アクセスネットワークデバイスが複数の分割方式をサポートするとき、受信ユニットは更に、第１トランスポートブロックをスケジューリングするために使用される、無線アクセスネットワークデバイスによって送信された第１スケジューリング情報を受信するよう構成され、第１スケジューリング情報は分割インジケーションを含み、分割インジケーションは、複数の分割方式のうちの１つを示すために使用される、または、受信ユニットは更に、無線アクセスネットワークデバイスによって送信された上位層シグナリングを受信するよう構成され、上位層シグナリングは分割インジケーションを含み、分割インジケーションは、複数の分割方式のうちの１つを示すために使用される。
【０２０４】
任意選択的に、受信ユニットは更に、再伝送コードブロックをスケジューリングするために使用される、無線アクセスネットワークデバイスによって送信された第２スケジューリング情報を受信するよう構成され、第２スケジューリング情報は、再伝送インジケーション情報を含む。
【０２０５】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【０２０６】
任意選択的に、再伝送インジケーション情報は更に、再伝送コードブロックにおけるコードブロックの全部または一部に対してＨＡＲＱの組み合わせを実行できるかどうかを示すために使用される。
【０２０７】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【０２０８】
本実施形態における第１フィードバック情報、再伝送インジケーション情報、第１スケジューリング情報、および、第２スケジューリング情報の定義および具体的実装については、上記の方法の実施形態の関連する説明を参照されたい。
【０２０９】
図１２を参照すると、端末デバイスのハードウェア要素は、無線アクセスネットワークデバイスによって送信された第１トランスポートブロックを受信するよう構成される受信機１２０１であって、第１トランスポートブロックは少なくとも２つのコードブロックを含み、少なくとも２つのコードブロックは、分割方式に基づいて、少なくとも２つの異なるコードブロックセットに分割され、各コードブロックセットは、少なくとも２つのコードブロックのうち少なくとも１つを含む、受信機１２０１と、第１フィードバック情報を生成するよう構成されるプロセッサ１２０２であって、第１フィードバック情報は、第１トランスポートブロックに対応する少なくとも２つのフィードバック情報を含み、少なくとも２つのフィードバック情報は、少なくとも２つのコードブロックセットの受信ステータスを示すためにそれぞれ使用される、プロセッサ１２０２と、第１フィードバック情報を無線アクセスネットワークデバイスへ送信するよう構成される送信機１２０３とを備える。
【０２１０】
任意選択的に、受信機は更に、無線アクセスネットワークデバイスによって送信された再伝送コードブロックを受信するよう構成され、再伝送コードブロックは、第１フィードバック情報における否定応答情報に対応するコードブロックセットに含まれるコードブロックの一部または全部を含み、送信機は更に、第２フィードバック情報を無線アクセスネットワークデバイスへ送信するよう構成され、第２フィードバック情報は、再伝送コードブロックに対応する、受信ステータスを示すために使用されるフィードバック情報を含む。
【０２１１】
任意選択的に、受信機は更に、無線アクセスネットワークデバイスによって送信された再伝送インジケーション情報を受信するよう構成され、再伝送インジケーション情報は、再伝送コードブロックを判定するために使用され、受信機は、分割方式および再伝送インジケーション情報に基づいて、再伝送コードブロックを受信する。
【０２１２】
本実施形態における、第１トランスポートブロック、コードブロックセット、分割方式、再伝送コードブロックの詳細な説明については、上記の方法の実施形態を参照されたい。
【０２１３】
任意選択的に、無線アクセスネットワークデバイスが複数の分割方式をサポートするとき、受信機は更に、第１トランスポートブロックをスケジューリングするために使用される、無線アクセスネットワークデバイスによって送信された第１スケジューリング情報を受信するよう構成され、第１スケジューリング情報は分割インジケーションを含み、分割インジケーションは、複数の分割方式のうちの１つを示すために使用される、または、受信機は更に、無線アクセスネットワークデバイスによって送信された上位層シグナリングを受信するよう構成され、上位層シグナリングは分割インジケーションを含み、分割インジケーションは、複数の分割方式のうちの１つを示すために使用される。
【０２１４】
任意選択的に、受信機は更に、再伝送コードブロックをスケジューリングするために使用される、無線アクセスネットワークデバイスによって送信された第２スケジューリング情報を受信するよう構成され、第２スケジューリング情報は、再伝送インジケーション情報を含む。
【０２１５】
任意選択的に、第１スケジューリング情報および第２スケジューリング情報は、同一のダウンリンク制御情報フォーマットの制御チャネル上で搬送され、分割インジケーションによって使用される、ダウンリンク制御情報フォーマットにおける第１フィールドと、再伝送インジケーション情報によって使用される、ダウンリンク制御情報フォーマットにおける第２フィールドとは、同一のフィールドを含む。
【０２１６】
任意選択的に、再伝送インジケーション情報は更に、再伝送コードブロックにおけるコードブロックの全部または一部に対してＨＡＲＱの組み合わせを実行できるかどうかを示すために使用される。
【０２１７】
任意選択的に、第１フィードバック情報は更に、第１トランスポートブロックの受信ステータスを示すために使用されるフィードバック情報を含み、および／または、第２フィードバック情報は更に、第１トランスポートブロックの受信ステータスを示すために使用されるフィードバック情報を含む。
【０２１８】
本実施形態における第１フィードバック情報、再伝送インジケーション情報、第１スケジューリング情報、および、第２スケジューリング情報の定義および具体的実装については、上記の方法の実施形態の関連する説明を参照されたい。
【０２１９】
本願において提供されたいくつかの実施形態では、開示されたシステム、機器、および方法が他の方式で実装され得ることを理解されたい。例えば、説明された機器の実施形態は、一例に過ぎない。例えば、ユニットの分割は単なる論理的機能の分割であり、実際に実装する際には、他の分割であってもよい。例えば、複数のユニットもしくはコンポーネントが別のシステムに組み合わされ、もしくは統合されてよく、または、いくつかの特徴が無視され、もしくは行なわれなくてよい。加えて、表示または議論されている相互結合もしくは直接的結合または通信接続は、いくつかのインタフェースを使用することによって実装され得る。機器間またはユニット間の間接的結合または通信接続は、電子的形態、機械的形態、または他の形態で実装されてよい。
【０２２０】
別個の部分として説明されたユニットは、物理的に別個であってもなくてもよい。また、ユニットとして表示された部分は、物理的なユニットであってもなくてもよく、一か所に位置していてよく、または、複数のネットワークユニットにおいて分散されていてよい。実施形態の解決法の目的を実現するべく、実際の要件に基づいてユニットの一部または全部が選択されてよい。
【０２２１】
加えて、本発明の実施形態における機能ユニットは、１つの処理ユニットへ統合され得るか、または、ユニットの各々は、物理的に単独で存在し得るか、もしくは、２つまたはそれより多くのユニットが、１つのユニットへ統合される。例えば、上記の明細書における受信機および送信機は、１つのモジュール、例えば、送受信機またはアンテナに物理的に統合され得る。
【０２２２】
上記の実施形態のすべてまたは一部は、ソフトウェア、ハードウェア、ファームウェア、またはこれらの任意の組み合わせを使用して実装されてよい。実施形態を実装するためにソフトウェアが使用されるとき、実施形態は、コンピュータプログラム製品の形態で完全にまたは部分的に実装され得る。コンピュータプログラム製品は１または複数のコンピュータ命令を含む。コンピュータプログラム命令がコンピュータ上にロードされて実行されるとき、本発明の実施形態に係る手順または機能が、すべてまたは部分的に生成される。コンピュータは、汎用コンピュータ、専用コンピュータ、コンピュータネットワーク、または、他のプログラマブル機器であり得る。コンピュータ命令は、コンピュータ可読記憶媒体に記憶され得る、または、一方のコンピュータ可読記憶媒体から他方のコンピュータ可読記憶媒体へ伝送され得る。例えば、コンピュータ命令は、あるウェブサイト、コンピュータ、サーバまたはデータセンターから、別のウェブサイト、コンピュータ、サーバまたはデータセンターへ、有線（例えば、同軸ケーブル、光ファイバ、または、デジタル加入者線（ＤＳＬ））または無線（例えば、赤外線、無線、または、マイクロ波）方式で伝送され得る。コンピュータ可読記憶媒体は、コンピュータからアクセス可能である任意の利用可能な媒体、または、１または複数の利用可能な媒体を統合する、サーバもしくはデータセンターなどのデータ記憶デバイスであり得る。利用可能な媒体は、磁気媒体（例えば、フロッピー（登録商標）ディスク、ハードディスク、または、磁気テープ）、光媒体（例えばＤＶＤ）、半導体媒体（例えばソリッドステートディスク（Ｓｏｌｉｄ  Ｓｔａｔｅ  Ｄｉｓｋ  （ＳＳＤ））などであり得る。
【図１】
0006908711.tif 000003
【図２ａ】
0006908711.tif 000004
【図２ｂ】
0006908711.tif 000005
【図３】
0006908711.tif 000006
【図４】
0006908711.tif 000007
【図５】
0006908711.tif 000008
【図６】
0006908711.tif 000009
【図７】
0006908711.tif 000010
【図８】
0006908711.tif 000011
【図９】
0006908711.tif 000012
【図１０】
0006908711.tif 000013
【図１１】
0006908711.tif 000014
【図１２】
0006908711.tif 000015